(57)【要約】【課題】入金開始ボタンを押下することなく有価媒体の入金処理を自動的に開始することができ、しかも硬貨投入部に投入された硬貨の量が少ない場合でも筐体の内部への硬貨の繰出動作を行うことができる有価媒体処理装置、有価媒体処理システムおよび有価媒体処理方法等を提供する。【解決手段】有価媒体処理装置（例えば、貨幣入金機１）は、紙葉類投入部（例えば、紙幣投入部５２）に投入された紙葉類（例えば、紙幣）を検知する紙葉類検知部（例えば、投入紙幣検知センサ５２ｂ）と、紙葉類検知部により紙葉類が検知されると硬貨繰出機構１３および紙葉類繰出機構（例えば、紙幣繰出機構５４）をそれぞれ動作させるよう硬貨繰出機構および紙葉類繰出機構の制御を行う制御部（例えば、本体制御部８０）とを備えている。【選択図】図６
2016207081.tif 000002
【特許請求の範囲】
【請求項１】
硬貨および紙葉類を入金可能な有価媒体処理装置であって、
投入された硬貨を筐体の内部に繰り出すための硬貨繰出機構が設けられた硬貨投入部と、
投入された紙葉類を筐体の内部に繰り出すための紙葉類繰出機構が設けられた紙葉類投入部と、
前記紙葉類投入部に投入された紙葉類を検知する紙葉類検知部と、
前記紙葉類検知部により紙葉類が検知されると前記硬貨繰出機構および前記紙葉類繰出機構をそれぞれ動作させるよう前記硬貨繰出機構および前記紙葉類繰出機構の制御を行う制御部と、
を備えた、有価媒体処理装置。
【請求項２】
前記硬貨投入部に投入された硬貨を検知する硬貨検知部を更に備え、
前記制御部は、前記硬貨検知部により硬貨が検知されると前記硬貨繰出機構を動作させるよう当該硬貨繰出機構の制御を行う、請求項１記載の有価媒体処理装置。
【請求項３】
前記制御部は、前記紙葉類検知部により紙葉類が検知されたときの前記硬貨繰出機構の動作を、前記硬貨検知部により硬貨が検知されたときの前記硬貨繰出機構の動作と異ならせるよう前記硬貨繰出機構の制御を行う、請求項２記載の有価媒体処理装置。
【請求項４】
前記制御部は、前記紙葉類検知部により紙葉類が検知されたときに前記硬貨繰出機構を所定時間動作させた後に停止させるよう当該硬貨繰出機構の制御を行う、請求項３記載の有価媒体処理装置。
【請求項５】
前記制御部は、前記紙葉類検知部により紙葉類が検知されたときに前記硬貨繰出機構を動作させた後、前記硬貨検知部により硬貨が検知されたときには当該硬貨検知部により硬貨が検知されなくなるまで前記硬貨繰出機構を動作させるよう当該硬貨繰出機構の制御を行う、請求項４記載の有価媒体処理装置。
【請求項６】
前記制御部は、前記紙葉類検知部により紙葉類が検知されたときの前記硬貨繰出機構の動作が、前記硬貨検知部により硬貨が検知されたときの前記硬貨繰出機構の動作と同じとなるよう前記硬貨繰出機構の制御を行う、請求項２記載の有価媒体処理装置。
【請求項７】
前記硬貨繰出機構は、前記硬貨投入部に投入された硬貨が集積される回転盤を含み、
前記制御部は、前記紙葉類検知部により紙葉類が検知されると前記回転盤を回転させるよう前記硬貨繰出機構の制御を行う、請求項１乃至６のいずれか一項に記載の有価媒体処理装置。
【請求項８】
少なくとも硬貨を入金可能な硬貨処理装置であって、
投入された硬貨を筐体の内部に繰り出すための硬貨繰出機構が設けられた硬貨投入部と、
前記硬貨投入部に投入された硬貨を検知する硬貨検知部と、
特定の検知情報を受信すると前記硬貨繰出機構を動作させるよう当該硬貨繰出機構の制御を行う制御部と、
を備えた、硬貨処理装置。
【請求項９】
前記特定の検知情報は、投入された紙葉類の検知、前記硬貨投入部に設けられたシャッタの開閉動作の検知、前記制御部への入金開始指令の入力、前記制御部への識別情報の入力、人感センサによる操作者の検知のうち少なくともいずれか一つのものである、請求項８記載の硬貨処理装置。
【請求項１０】
硬貨および紙葉類を入金可能であり、投入された硬貨を筐体の内部に繰り出すための硬貨繰出機構が設けられた硬貨投入部と、投入された紙葉類を筐体の内部に繰り出すための紙葉類繰出機構が設けられた紙葉類投入部と、前記紙葉類投入部に投入された紙葉類を検知する紙葉類検知部とを有する有価媒体処理装置と、
前記有価媒体処理装置と通信可能に接続され、当該有価媒体処理装置の管理を行う管理装置と、
を備えた有価媒体処理システムであって、
前記有価媒体処理装置の前記紙葉類検知部により紙葉類が検知されると前記硬貨繰出機構および前記紙葉類繰出機構をそれぞれ動作させるよう前記硬貨繰出機構および前記紙葉類繰出機構の制御を行う制御部を備えた、有価媒体処理システム。
【請求項１１】
前記制御部は前記管理装置に設けられている、請求項１０記載の有価媒体処理システム。
【請求項１２】
硬貨および紙葉類を入金可能な有価媒体処理装置による有価媒体処理方法であって、
紙葉類投入部に投入された紙葉類を紙葉類検知部により検知する工程と、
前記紙葉類検知部により紙葉類が検知されると前記紙葉類投入部に設けられた紙葉類繰出機構を動作させるとともに硬貨投入部に設けられた硬貨繰出機構を動作させる工程と、
を備えた、有価媒体処理方法。
【発明の詳細な説明】
【技術分野】
【０００１】
本発明は、紙幣、硬貨、商品券等の有価媒体の処理を行う有価媒体処理装置、硬貨の処理を行う硬貨処理装置、有価媒体処理装置を備えた有価媒体処理システムおよび有価媒体処理装置による有価媒体処理方法に関する。
【背景技術】
【０００２】
従来から、スーパーマーケット等の店舗等における売上金等の貨幣の入金処理を行う貨幣入金機として様々なタイプのものが知られている。このような貨幣入金機では、硬貨および紙幣の入金処理をそれぞれ行うことができるようになっている。具体的には、硬貨や紙幣の入金処理が行われる際に、硬貨投入部に投入された硬貨は回転盤等からなる硬貨繰出機構により１枚ずつ筐体の内部に繰り出されるようになっており、一方、紙幣投入部に投入された紙幣はフィードローラ等からなる紙幣繰出機構により１枚ずつ筐体の内部に繰り出されるようになっている。ここで、硬貨投入部には回転盤上に残留する硬貨を検知するための光学センサ等からなる検知センサが設けられており、硬貨投入部に投入された硬貨が検知センサにより検知されたときに回転盤が駆動されてこの回転盤により硬貨が筐体の内部に繰り出されるようになっている。しかしながら、このような貨幣入金機では、硬貨の入金処理が行われる際に硬貨投入部に投入された硬貨の量が少ない場合には、硬貨投入部に投入された硬貨を検知センサにより検知することができず、回転盤を自動的に動作させて筐体の内部に硬貨を繰り出させることができないおそれがあった。ここで、硬貨投入部に投入された硬貨が検知センサにより検知されず、回転盤が動作しなかった場合には、操作者は例えば入金開始ボタンを押下して入金処理開始の指令を制御部に送ることにより回転盤を動作させることができるが、この場合には無駄な待ち時間が発生したり、入金開始ボタンを押下するのに手間がかかるため操作性が悪くなったりするという問題がある。
【０００３】
これに対し、特許文献１には、硬貨処理機および紙幣処理機のうちいずれかの入金開始ボタンが押下されると、入金開始ボタンが押下された処理機から他方の処理機に入金命令信号が送られ、入金開始ボタンが押下された処理機のみならず他方の処理機でも入金処理が開始されるような貨幣処理装置が開示されている。
【先行技術文献】
【特許文献】
【０００４】
【特許文献１】特許第３５９９７８７号
【発明の概要】
【発明が解決しようとする課題】
【０００５】
しかしながら、特許文献１に開示される貨幣処理装置では、硬貨や紙幣の入金処理を行うにあたり、硬貨入金口に硬貨を投入したり紙幣入金口に紙幣を投入したりした後に入金開始ボタンを押下する必要があり、操作者が硬貨入金口や紙幣入金口に硬貨や紙幣を投入した後に入金開始ボタンの押下を忘れてしまった場合には硬貨や紙幣の入金処理が開始されず、無駄な待ち時間が発生するおそれがあった。また、操作者は硬貨入金口や紙幣入金口に硬貨や紙幣を投入しても硬貨や紙幣の入金処理が自動的に開始されないため、故障が発生していると勘違いしてしまうおそれがあった。
【０００６】
本発明は、このような点を考慮してなされたものであり、入金開始ボタンを押下することなく有価媒体の入金処理を自動的に開始することができ、しかも硬貨投入部に投入された硬貨の量が少ない場合でも筐体の内部への硬貨の繰出動作を行うことができる有価媒体処理装置、有価媒体処理システムおよび有価媒体処理方法を提供することを目的とする。
【０００７】
本発明の他の目的は、特定の検知情報を受信すると硬貨投入部に設けられた硬貨繰出機構を動作させることにより硬貨の入金処理を開始することができ、しかも硬貨投入部に投入された硬貨の量が少ない場合でも筐体の内部への硬貨の繰出動作を行うことができる硬貨処理装置を提供することにある。
【課題を解決するための手段】
【０００８】
本発明の有価媒体処理装置は、硬貨および紙葉類を入金可能な有価媒体処理装置であって、投入された硬貨を筐体の内部に繰り出すための硬貨繰出機構が設けられた硬貨投入部と、投入された紙葉類を筐体の内部に繰り出すための紙葉類繰出機構が設けられた紙葉類投入部と、前記紙葉類投入部に投入された紙葉類を検知する紙葉類検知部と、前記紙葉類検知部により紙葉類が検知されると前記硬貨繰出機構および前記紙葉類繰出機構をそれぞれ動作させるよう前記硬貨繰出機構および前記紙葉類繰出機構の制御を行う制御部と、を備えたことを特徴とする。
【０００９】
このような有価媒体処理装置によれば、紙葉類投入部に投入された紙葉類が紙葉類検知部により検知されるとこの紙葉類投入部に設けられた紙葉類繰出機構を動作させるとともに硬貨投入部に設けられた硬貨繰出機構を動作させることにより、入金開始ボタンを押下することなく有価媒体の入金処理を自動的に開始することができ、しかも硬貨投入部に投入された硬貨の量が少ない場合でも筐体の内部への硬貨の繰出動作を行うことができる。
【００１０】
本発明の有価媒体処理装置は、前記硬貨投入部に投入された硬貨を検知する硬貨検知部を更に備え、前記制御部は、前記硬貨検知部により硬貨が検知されると前記硬貨繰出機構を動作させるよう当該硬貨繰出機構の制御を行うようになっていてもよい。
【００１１】
この場合、前記制御部は、前記紙葉類検知部により紙葉類が検知されたときの前記硬貨繰出機構の動作を、前記硬貨検知部により硬貨が検知されたときの前記硬貨繰出機構の動作と異ならせるよう前記硬貨繰出機構の制御を行うようになっていてもよい。
【００１２】
また、前記制御部は、前記紙葉類検知部により紙葉類が検知されたときに前記硬貨繰出機構を所定時間動作させた後に停止させるよう当該硬貨繰出機構の制御を行うようになっていてもよい。
【００１３】
また、前記制御部は、前記紙葉類検知部により紙葉類が検知されたときに前記硬貨繰出機構を動作させた後、前記硬貨検知部により硬貨が検知されたときには当該硬貨検知部により硬貨が検知されなくなるまで前記硬貨繰出機構を動作させるよう当該硬貨繰出機構の制御を行うようになっていてもよい。
【００１４】
あるいは、前記制御部は、前記紙葉類検知部により紙葉類が検知されたときの前記硬貨繰出機構の動作が、前記硬貨検知部により硬貨が検知されたときの前記硬貨繰出機構の動作と同じとなるよう前記硬貨繰出機構の制御を行うようになっていてもよい。
【００１５】
本発明の有価媒体処理装置においては、前記硬貨繰出機構は、前記硬貨投入部に投入された硬貨が集積される回転盤を含み、前記制御部は、前記紙葉類検知部により紙葉類が検知されると前記回転盤を回転させるよう前記硬貨繰出機構の制御を行うようになっていてもよい。
【００１６】
本発明の硬貨処理装置は、少なくとも硬貨を入金可能な硬貨処理装置であって、投入された硬貨を筐体の内部に繰り出すための硬貨繰出機構が設けられた硬貨投入部と、前記硬貨投入部に投入された硬貨を検知する硬貨検知部と、特定の検知情報を受信すると前記硬貨繰出機構を動作させるよう当該硬貨繰出機構の制御を行う制御部と、を備えたことを特徴とする。
【００１７】
このような硬貨処理装置によれば、特定の検知情報を受信すると硬貨投入部に設けられた硬貨繰出機構を動作させることにより硬貨の入金処理を開始することができ、しかも硬貨投入部に投入された硬貨の量が少ない場合でも筐体の内部への硬貨の繰出動作を行うことができる。
【００１８】
本発明の硬貨処理装置においては、前記特定の検知情報は、投入された紙葉類の検知、前記硬貨投入部に設けられたシャッタの開閉動作の検知、前記制御部への入金開始指令の入力、前記制御部への識別情報の入力、人感センサによる操作者の検知のうち少なくともいずれか一つのものであってもよい。
【００１９】
本発明の有価媒体処理システムは、硬貨および紙葉類を入金可能であり、投入された硬貨を筐体の内部に繰り出すための硬貨繰出機構が設けられた硬貨投入部と、投入された紙葉類を筐体の内部に繰り出すための紙葉類繰出機構が設けられた紙葉類投入部と、前記紙葉類投入部に投入された紙葉類を検知する紙葉類検知部とを有する有価媒体処理装置と、前記有価媒体処理装置と通信可能に接続され、当該有価媒体処理装置の管理を行う管理装置と、を備えた有価媒体処理システムであって、前記有価媒体処理装置の前記紙葉類検知部により紙葉類が検知されると前記硬貨繰出機構および前記紙葉類繰出機構をそれぞれ動作させるよう前記硬貨繰出機構および前記紙葉類繰出機構の制御を行う制御部を備えたことを特徴とする。
【００２０】
本発明の有価媒体処理システムにおいては、前記制御部は前記管理装置に設けられていてもよい。
【００２１】
本発明の有価媒体処理方法は、硬貨および紙葉類を入金可能な有価媒体処理装置による有価媒体処理方法であって、紙葉類投入部に投入された紙葉類を紙葉類検知部により検知する工程と、前記紙葉類検知部により紙葉類が検知されると前記紙葉類投入部に設けられた紙葉類繰出機構を動作させるとともに硬貨投入部に設けられた硬貨繰出機構を動作させる工程と、を備えたことを特徴とする。
【００２２】
このような有価媒体処理方法によれば、紙葉類投入部に投入された紙葉類が紙葉類検知部により検知されるとこの紙葉類投入部に設けられた紙葉類繰出機構を動作させるとともに硬貨投入部に設けられた硬貨繰出機構を動作させることにより、入金開始ボタンを押下することなく有価媒体の入金処理を自動的に開始することができ、しかも硬貨投入部に投入された硬貨の量が少ない場合でも筐体の内部への硬貨の繰出動作を行うことができる。
【発明の効果】
【００２３】
本発明の有価媒体処理装置、有価媒体処理システムおよび有価媒体処理方法によれば、入金開始ボタンを押下することなく有価媒体の入金処理を自動的に開始することができ、しかも硬貨投入部に投入された硬貨の量が少ない場合でも筐体の内部への硬貨の繰出動作を行うことができる。
【００２４】
本発明の硬貨処理装置によれば、特定の検知情報を受信すると硬貨投入部に設けられた硬貨繰出機構を動作させることにより硬貨の入金処理を開始することができ、しかも硬貨投入部に投入された硬貨の量が少ない場合でも筐体の内部への硬貨の繰出動作を行うことができる。
【図面の簡単な説明】
【００２５】
【図１】本発明の実施の形態による貨幣入金機の外観を示す斜視図である。
【図２】図１に示す貨幣入金機における硬貨入金装置の内部を側方から見たときの構成を示す側面図である。
【図３】図２に示す硬貨入金装置の内部における上部領域を上方から見たときの構成を示す上面図である。
【図４】図１に示す貨幣入金機における紙幣入金装置の内部を側方から見たときの構成を示す側面図である。
【図５】図１に示す貨幣入金機の制御系の構成を示す機能ブロック図である。
【図６】図１に示す貨幣入金機において硬貨および紙幣の入金処理が行われるときの硬貨入金装置および紙幣入金装置の動作を示すフローチャートである。
【図７】（ａ）〜（ｆ）は、図１に示す貨幣入金機において硬貨および紙幣の入金処理が行われる際に操作表示部に表示される画面を示す図である。
【図８】本発明の原理が適用される貨幣釣銭機およびこの貨幣釣銭機に通信可能に接続されたＰＯＳレジスタの構成を示す斜視図である。
【図９】図８に示す貨幣釣銭機およびＰＯＳレジスタの内部構成の概略を示す概略構成図である。
【図１０】図８に示す貨幣釣銭機およびＰＯＳレジスタの制御系の構成を示す機能ブロック図である。
【発明を実施するための形態】
【００２６】
以下、図面を参照して本発明の実施の形態について説明する。本実施の形態による貨幣入金機は、硬貨や紙幣等の貨幣の入金処理や計数処理を行うものである。このような貨幣入金機はスーパーマーケットやショッピングモール等の商業施設における出納室に設置されたり、自動販売機のメンテナンス会社の営業所に設置されたりして、係員が商業施設の売場（レジ）や自動販売機から回収してきた売上金を入金するようになっている。図１乃至図７は、本実施の形態による貨幣入金機を示す図である。
【００２７】
まず、本実施の形態による貨幣入金機１の構成について図１乃至図５を用いて説明する。図１は、本実施の形態による貨幣入金機１の外観を示す斜視図である。図１に示すように、本実施の形態による貨幣入金機１は略直方体形状の筐体１ａを有している。また、貨幣入金機１の筐体１ａを手前側から見て当該貨幣入金機１の左側部分には硬貨の入金処理や計数処理を行う硬貨入金装置１０が設けられており、一方、貨幣入金機１の筐体１ａを手前側から見て当該貨幣入金機１の右側部分には紙幣の入金処理や計数処理を行う紙幣入金装置５０が設けられている。また、図１に示すように、貨幣入金機１の筐体１ａの上部には上部カバー２が設けられており、この上部カバー２を上方に開くことにより操作者は硬貨入金装置１０や紙幣入金装置５０の内部にアクセスすることができるようになっている（図６参照）。より詳細には、上部カバー２は水平方向に延びる軸２ｐを中心として図１に示す状態から上方に回転することができるようになっている。ここで、硬貨入金装置１０の硬貨投入部１２（後述）における硬貨の投入口および紙幣入金装置５０の紙幣投入部５２（後述）における紙幣の投入口はそれぞれ上部カバー２に設けられている。一方、後述する操作表示部８６、８８や操作キー８９は上部カバー２とは別に設けられており、上部カバー２を上方に開いても操作表示部８６、８８や操作キー８９の位置は変化しないようになっている。
【００２８】
また、本実施の形態の貨幣入金機１には、上部カバー２が上方に開かれたときにこのことを検知する上部カバー開閉検知センサ（図示せず）が設けられている。また、本実施の形態の貨幣入金機１には、上部カバー２を閉状態でロックするためのロック部（図示せず）が設けられており、貨幣入金機１において硬貨や紙幣の入金処理や計数処理が行われているときにはロック部により上部カバー２が閉状態にロックされて当該上部カバー２を上方に開くことができないようになっている。
【００２９】
次に、本実施の形態の貨幣入金機１における硬貨入金装置１０の構成について図２および図３を用いて説明する。上述したように、図２は、硬貨入金装置１０の内部を側方から見たときの構成を示す側面図であり、図３は、図２に示す硬貨入金装置１０の内部における上部領域を上方から見たときの構成を示す上面図である。図２および図３に示すように、硬貨入金装置１０は、筐体１ａの外部から内部に硬貨を投入するための硬貨投入部１２と、硬貨投入部１２により筐体１ａの内部に投入された硬貨を搬送するための搬送部１４と、搬送部１４により搬送される硬貨の金種、真偽、正損等の識別を行う識別部１６とを備えている。
【００３０】
より詳細には、図２および図３に示すように、硬貨投入部１２には、当該硬貨投入部１２に投入された硬貨を筐体１ａの内部に繰り出すための硬貨繰出機構１３が設けられている。硬貨繰出機構１３は、水平状態となるよう配置され、筐体１ａの外部から投入された硬貨が集積される円盤形状の回転盤１３ａと、回転盤１３ａを正逆両方向（すなわち、図３における時計回りの方向および反時計回りの方向）に回転させることができる駆動モータ１３ｂ（図５参照）とを有しており、回転盤１３ａが図３における反時計回りの方向である正方向に回転することにより、筐体１ａの外部から投入されこの回転盤１３ａの上に集積された硬貨が１枚ずつ当該回転盤１３ａから搬送部１４に繰り出されるようになっている。また、図１に示すように、筐体１ａの上面には硬貨の投入口の開閉を行うシャッタ１２ａが設けられており、当該シャッタ１２ａが開かれたときに操作者は筐体１ａの外部から硬貨投入部１２に硬貨を投入することができるようになっている。このようなシャッタ１２ａは操作者が手動で開閉を行うことができるようになっている。また、硬貨投入部１２には、筐体１ａの外部から投入され硬貨繰出機構１３の回転盤１３ａの上に集積された硬貨を検知するための投入硬貨検知センサ１２ｂが設けられている。投入硬貨検知センサ１２ｂは、例えば対向して設けられた発光素子および受光素子を有するフォトインタラプタ等から構成されており、回転盤１３ａの上に集積された硬貨が発光素子と受光素子との間の光軸を遮ることによって当該硬貨が投入硬貨検知センサ１２ｂにより検知されるようになっている。
【００３１】
また、搬送部１４は、図３において矢印で示す方向に循環移動を行う無端状の搬送ベルト１４ａと、当該搬送ベルト１４ａが張架される複数のプーリ１４ｂ、１４ｃとを有しており、複数のプーリ１４ｂ、１４ｃのうちある一つのプーリ１４ｃには当該プーリ１４ｃを回転駆動させる駆動モータ（図示せず）が設けられている。また、無端状の搬送ベルト１４ａには、当該搬送ベルト１４ａの長手方向に沿って複数の突起が間隔を空けて設けられており、各突起により硬貨が１枚ずつ押動されて搬送されるようになっている。このような搬送部１４において、駆動モータがプーリ１４ｃを回転駆動させることにより無端状の搬送ベルト１４ａが図３において矢印で示す方向に循環移動し、このことにより硬貨繰出機構１３によって筐体１ａの内部に繰り出された硬貨が１枚ずつ搬送ベルト１４ａにより搬送されるようになる。
【００３２】
また、搬送部１４には、当該搬送部１４により搬送される硬貨を分岐させる分岐機構１８が設けられている。具体的には、分岐機構１８は、識別部１６により正常な硬貨であると識別された硬貨を当該搬送部１４から分岐させて後述する一時保留部２６に送るようになっている。より詳細に説明すると、搬送部１４において硬貨が搬送される搬送面において分岐機構１８の近傍には開口１５が設けられており、分岐機構１８は、この開口１５を選択的に塞ぐよう水平方向に延びる軸を中心として回転自在となっている分岐爪等からなる分岐部１８ａを有している。そして、分岐機構１８の分岐部１８ａが搬送部１４における硬貨の搬送面から上方に突出した突出位置に移動すると、搬送部１４の搬送ベルト１４ａにより搬送される硬貨が当該開口１５を介して搬送部１４から下方に落下して後述する一時保留部２６に送られるようになる。また、搬送部１４の下流側端部の近傍には開口２０が設けられており、分岐機構１８により搬送部１４から分岐されなかった硬貨、すなわち識別部１６により正常な硬貨ではないと識別された硬貨や識別部１６により識別することができなかった硬貨がリジェクト硬貨として当該開口２０から下方に落下し、後述するリジェクト部２８に送られるようになっている。
【００３３】
図２に示すように、硬貨入金装置１０において搬送部１４の下方には一時保留部２６およびリジェクト部２８がそれぞれ設けられている。ここで、一時保留部２６は、硬貨入金装置１０の奥行き方向（すなわち、図２における左右方向）において移動可能となっており、図２において実線や二点鎖線で示される３箇所の位置に移動することができるようになっている。また、一時保留部２６は、その頂部および底部に開口が設けられた略直方体形状の枠体を有しており、中央位置にある状態では、固定的に設けられる底板部材によって底面が塞がれて、一時保留空間が形成される。また、図２における中央位置にある一時保留部２６と、搬送部１４における硬貨の搬送面において分岐機構１８の近傍に設けられた開口１５との間には一時保留用シュート２２が設けられており、分岐機構１８により振り分けられた硬貨は一時保留用シュート２２を通って一時保留部２６に送られるようになっている。また、リジェクト部２８と、搬送部１４の下流側端部の近傍に設けられた開口２０との間にはリジェクト用シュート２４が設けられており、開口２０から落下したリジェクト硬貨はリジェクト用シュート２４を通ってリジェクト部２８に送られるようになっている。
【００３４】
図１に示すように、リジェクト部２８は貨幣入金機１の筐体１ａの前面側から操作者がアクセスすることができるようになっており、このリジェクト部２８にリジェクト硬貨が送られると、操作者はリジェクト部２８からリジェクト硬貨を取り出すことができるようになっている。
【００３５】
また、硬貨入金装置１０の奥行き方向において手前側に位置する一時保留部２６（すなわち、図２において左側に位置する一時保留部２６）の下方には硬貨返却箱３０が設けられており、一時保留部２６が図２における中央の位置から左側の位置に移動すると、当該一時保留部２６に一時的に保留されている硬貨がこの一時保留部２６から自重により落下して硬貨返却箱３０に送られるようになっている。このような硬貨返却箱３０は筐体１ａから手前側に引き出し可能となっている。具体的には、硬貨返却箱３０を筐体１ａの内部にロックするためのロック部３１（図５参照）が設けられており、当該ロック部３１によるロック状態が解除されると、硬貨返却箱３０を筐体１ａから手前側に引き出すことができるようになる。また、図１に示すように、硬貨返却箱３０の前面には、操作者が把持するための把持部分３０ａが設けられており、ロック部３１によるロック状態が解除された後、操作者が把持部分３０ａを把持して硬貨返却箱３０を筐体１ａから手前側に引き出すことにより、硬貨返却箱３０に収納されている硬貨を筐体１ａの外部に返却することができるようになる。
【００３６】
また、硬貨入金装置１０の内部における下部領域には硬貨収納カセット４０が収容されており、硬貨入金装置１０の奥行き方向において奥側に位置する一時保留部２６（すなわち、図２において右側に位置する一時保留部２６）と、硬貨収納カセット４０との間には収納用シュート３２が設けられている。このことにより、一時保留部２６が図２における中央の位置から右側の位置に移動すると、当該一時保留部２６に一時的に保留されている硬貨がこの一時保留部２６から自重により落下して、収納用シュート３２を介して硬貨収納カセット４０に送られ、当該硬貨収納カセット４０に収納されるようになる。なお、硬貨収納カセット４０は筐体１ａの外部に取り出すことができるようになっている。具体的には、図１に示すように貨幣入金機１の筐体１ａの前面における下部領域には、警送会社の警備員等の所定の権限を有する者しか開くことができない扉１ｂが設けられており、この扉１ｂを開くことにより硬貨収納カセット４０を筐体１ａの外部に取り出すことができるようになる。警送会社の警備員等により筐体１ａの外部に取り出された硬貨収納カセット４０は、警送会社の管理本部や現金処理センターに運搬され、硬貨収納カセット４０から取り出された硬貨が管理本部等で管理されるようになる。
【００３７】
次に、本実施の形態の貨幣入金機１における紙幣入金装置５０の構成について図４を用いて説明する。上述したように、図４は、紙幣入金装置５０の内部を側方から見たときの構成を示す側面図である。図４に示すように、紙幣入金装置５０は、筐体１ａの外部から紙幣が束状態で投入される紙幣投入部５２と、紙幣投入部５２に投入された紙幣を１枚ずつ筐体１ａの内部に繰り出すための紙幣繰出機構５４と、紙幣繰出機構５４により筐体１ａの内部に繰り出された紙幣を搬送するための搬送部５６と、搬送部５６により搬送される紙幣の金種、真偽、正損等の識別を行う識別部５８とを備えている。また、図１に示すように、筐体１ａの上面には紙幣の投入口の開閉を行うシャッタ５２ａが設けられており、当該シャッタ５２ａが開かれたときに操作者は筐体１ａの外部から紙幣投入部５２に紙幣の束を投入することができるようになっている。このようなシャッタ５２ａは操作者が手動で開閉を行うことができるようになっている。また、紙幣投入部５２には、筐体１ａの外部から当該紙幣投入部５２に投入された紙幣を検知するための投入紙幣検知センサ５２ｂが設けられている。投入紙幣検知センサ５２ｂは、例えば対向して設けられた発光素子および受光素子を有するフォトインタラプタ等から構成されており、紙幣投入部５２に投入された紙幣が発光素子と受光素子との間の光軸を遮ることによって当該紙幣が投入紙幣検知センサ５２ｂにより検知されるようになっている。
【００３８】
また、搬送部５６における識別部５８よりも下流側の箇所には、識別部５８により識別された紙幣をリジェクト部６２および一時保留部６４のうちいずれか一方に振り分ける分岐機構６０が設けられている。具体的には、分岐機構６０において、識別部５８により正常な紙幣であると識別された紙幣は一時保留部６４に送られるよう振り分けられ、一方、識別部５８により正常な紙幣ではないと識別された紙幣や識別部５８により識別することができなかった紙幣はリジェクト紙幣としてリジェクト部６２に送られるよう振り分けられるようになっている。
【００３９】
図１に示すように、リジェクト部６２は貨幣入金機１の筐体１ａの前面側から操作者がアクセスすることができるようになっており、このリジェクト部６２にリジェクト紙幣が送られると、操作者はリジェクト部６２からリジェクト紙幣を取り出すことができるようになっている。
【００４０】
また、図４に示すように、紙幣入金装置５０の内部における下部領域において一時保留部６４の真下の位置には紙幣収納カセット７０が収容されている。そして、一時保留部６４に紙幣が一時的に保留された後、入金確定の指令が貨幣入金機１の本体制御部８０（後述）に与えられると、一時保留部６４から紙幣収納カセット７０に紙幣が一括して送られ、この紙幣収納カセット７０に収納されるようになっている。なお、紙幣収納カセット７０は筐体１ａの外部に取り出すことができるようになっている。具体的には、上述したように、貨幣入金機１の筐体１ａの前面における下部領域には扉１ｂが設けられており、この扉１ｂを開くことにより紙幣収納カセット７０を筐体１ａの外部に取り出すことができるようになる。警送会社の警備員等により筐体１ａの外部に取り出された紙幣収納カセット７０は、警送会社の管理本部や現金処理センターに運搬され、紙幣収納カセット７０から取り出された紙幣が管理本部等で管理されるようになる。
【００４１】
また、図１に示すように、貨幣入金機１の筐体１ａの前面における一時保留部６４の手前側の位置には扉１ｃが設けられているとともに、当該扉１ｃを閉状態にロックするための扉ロック部６５（図５参照）が設けられている。そして、当該扉ロック部６５による扉１ｃのロック状態が解除されると、操作者は扉１ｃを手前右側に開いて一時保留部６４の内部にアクセスすることができるようになる。このようにして、一時保留部６４に紙幣が一時的に保留された後、返却の指令が貨幣入金機１の本体制御部８０（後述）に与えられると、扉ロック部６５による扉１ｃのロック状態が解除され、操作者は扉１ｃを開くことにより一時保留部６４の内部から紙幣を取り出すことができるようになり、よって筐体１ａの外部に紙幣が返却されるようになる。そして、操作者が手動で扉１ｃを閉じると、扉ロック部６５により扉１ｃが再び閉状態にロックされるようになる。なお、一時保留部６４に一時的に保留された紙幣を紙幣収納カセット７０に収納させる際には、扉ロック部６５による扉１ｃの閉状態のロックが維持されたままとなる。
【００４２】
次に、本実施の形態による貨幣入金機１の制御系の構成について図５を用いて説明する。図５に示すように、本実施の形態による貨幣入金機１には、当該貨幣入金機１の各構成部材の制御を行う本体制御部８０が設けられている。また、硬貨入金装置１０には当該硬貨入金装置１０の各構成部材（具体的には、硬貨繰出機構１３の駆動モータ１３ｂ、投入硬貨検知センサ１２ｂ、搬送部１４、識別部１６、分岐機構１８、一時保留部２６、ロック部３１等）に接続された硬貨制御部８１が設けられており、当該硬貨制御部８１により硬貨入金装置１０の各構成部材が制御されるようになっている。また、紙幣入金装置５０には当該紙幣入金装置５０の各構成部材（具体的には、投入紙幣検知センサ５２ｂ、紙幣繰出機構５４、搬送部５６、識別部５８、分岐機構６０、一時保留部６４、扉ロック部６５等）に接続された紙幣制御部８２が設けられており、当該紙幣制御部８２により紙幣入金装置５０の各構成部材が制御されるようになっている。図５に示すように、硬貨入金装置１０に設けられた硬貨制御部８１や紙幣入金装置５０に設けられた紙幣制御部８２はそれぞれ本体制御部８０に接続されている。
【００４３】
また、図１に示すように、貨幣入金機１の筐体１ａの上面には、プリンタ等の印字部８４、２つの操作表示部８６、８８、操作キー８９および操作者が携帯するＩＤカード等の記録媒体９２に記憶された情報（具体的には、ＩＤカードのＩＤ情報等）を読み取るための磁気カードリーダ等の読取部９０がそれぞれ設けられており、これらの印字部８４、操作表示部８６、８８、操作キー８９、読取部９０はそれぞれ本体制御部８０に接続されている。
【００４４】
印字部８４は、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）をレシートに印字するようになっている。
【００４５】
また、２つの操作表示部８６、８８のうち左側の操作表示部８６は例えばモニタからなり、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）等の様々な情報の少なくとも一部が当該操作表示部８６に表示されるようになっている。また、２つの操作表示部８６、８８のうち右側の操作表示部８８は例えばタッチパネルからなり、当該操作表示部８８には貨幣入金機１における貨幣の入金処理や計数処理の結果に係る情報等の様々な情報の少なくとも一部が表示されるとともに、操作者は操作表示部８８を操作することにより本体制御部８０に様々な指示を与えることができるようになっている。ここで、本実施の形態では、２つの操作表示部８６、８８は並列に配置されており、また、これらの２つの操作表示部８６、８８は同一の形状および大きさとなっている。なお、左側の操作表示部８６も例えばタッチパネルから構成されており、右側の操作表示部８８に加えて左側の操作表示部８６により操作者は本体制御部８０に様々な指令を与えることができるようになっていてもよい。また、操作キー８９は、例えば貨幣入金機１において入金処理が行われる際に確定待ち状態となったときに図示しないＬＥＤ等によって光が照射されることにより光るようになっており、操作者が当該操作キー８９を押下することにより入金確定の指令が本体制御部８０に与えられるようになっている。
【００４６】
また、本実施の形態の貨幣入金機１では、図１等に示すように、操作表示部８６、８８や操作キー８９を支持するための支持部４が設けられており、この支持部４を筐体１ａの手前側に開くことができるようになっている。より詳細には、操作表示部８６、８８や操作キー８９を支持するための支持部４は、上部カバー２が上方に開かれた状態においてのみ、筐体１ａの手前側に開くことができるようになっている。すなわち、上部カバー２が閉じているときには、支持部４の上端部分が図示しない係合部材によって上部カバー２に係合することにより、当該支持部４を筐体１ａの手前側に開くことができないようになっている。
【００４７】
また、図５に示すように、操作者が携帯するＩＤカード等の記録媒体９２には、ＩＤカードのＩＤ情報等の様々な情報を記憶する記憶部９２ａが設けられており、この記録媒体９２を磁気カードリーダ等の読取部９０に通すと、当該記憶部９２ａに記憶された情報が読取部９０により読み取られるようになっている。具体的には、操作者が記録媒体９２を読取部９０に通すことにより、当該操作者の権限を認証することができるようになり、所定の権限を有する操作者のみが貨幣入金機１において貨幣の入金処理や計数処理、回収処理を行うことができるようになる。
【００４８】
また、図５に示すように、本体制御部８０には記憶部９４が接続されている。このような記憶部９４は貨幣入金機１の筐体１ａの内部に設けられており、当該記憶部９４には、貨幣入金機１における貨幣の入金処理や計数処理の結果に係る情報や、硬貨収納カセット４０や紙幣収納カセット７０に収納されている硬貨や紙幣の金種毎の枚数や合計金額に係る情報（在高情報）が記憶されるようになっている。
【００４９】
また、本体制御部８０には通信インターフェース部９８が接続されており、本体制御部８０は、この通信インターフェース部９８により、貨幣入金機１の外部に設けられた上位端末等の外部装置と信号の送受信を行うことができるようになっている。
【００５０】
次に、このような構成からなる本実施の形態の貨幣入金機１の動作について説明する。なお、以下に示す貨幣入金機１の動作は、本体制御部８０が当該貨幣入金機１の各構成部材を制御することにより、あるいは本体制御部８０が硬貨制御部８１や紙幣制御部８２を経由して硬貨入金装置１０や紙幣入金装置５０の各構成部材を制御することにより行われるようになっている。
【００５１】
本実施の形態の貨幣入金機１において硬貨や紙幣の入金処理が行われるときの動作について図６および図７を用いて以下に説明する。なお、図６は、図１に示す貨幣入金機１において硬貨および紙幣の入金処理が行われるときの硬貨入金装置１０および紙幣入金装置５０の動作を示すフローチャートであり、図７（ａ）〜（ｆ）は、図１に示す貨幣入金機１において硬貨や紙幣の入金処理が行われる際に操作表示部８６、８８に表示される画面を示す図である。
【００５２】
貨幣入金機１が待機状態にあるときには、操作表示部８６、８８には図７（ａ）に示すような待機画面が表示される。貨幣入金機１が待機状態にあるときに、操作者が自己のＩＤカード等の記録媒体９２を読取部９０に通したり、操作者ＩＤを右側の操作表示部８８により手入力したりすることにより、当該操作者の権限が認証されると、操作表示部８６、８８には、図７（ｂ）に示すような、複数の処理のうちどの処理を行うかを選択するための選択画面が表示されるようになり、操作者は右側の操作表示部８８に表示される選択画面において引渡処理および計数処理のうちどの処理を行うかを選択することができるようになる。図７（ｂ）に示すような選択画面において「引渡処理」のボタンが操作者により押下されると、操作表示部８６、８８には、図７（ｃ）に示すような、操作者に対して硬貨入金装置１０の硬貨投入部１２や紙幣入金装置５０の紙幣投入部５２に硬貨や紙幣を投入することを促す旨のガイダンス画面が表示されるようになる。
【００５３】
図７（ｃ）に示すようなガイダンス画面が操作表示部８６、８８に表示されているときに、操作者が貨幣入金機１の筐体１ａの上面に設けられたシャッタ１２ａやシャッタ５２ａを手動で開いて筐体１ａの外部から硬貨や紙幣を硬貨投入部１２や紙幣投入部５２に投入すると、硬貨投入部１２や紙幣投入部５２に投入された硬貨や紙幣は硬貨繰出機構１３や紙幣繰出機構５４により筐体１ａの内部に繰り出されるようになる。具体的には、硬貨入金装置１０において、硬貨投入部１２に投入され回転盤１３ａ上に集積された硬貨が投入硬貨検知センサ１２ｂにより検知されると（ＳＴＥＰ１の「ＹＥＳ」）、駆動モータ１３ｂが回転盤１３ａを図３における反時計回りの方向である正方向（すなわち、搬送部１４に硬貨を繰り出す方向）に回転させ、このことにより硬貨投入部１２に投入され回転盤１３ａ上に集積された硬貨は当該回転盤１３ａにより１枚ずつ筐体１ａの内部に繰り出され、搬送部１４により搬送されるようになる（ＳＴＥＰ４）。また、紙幣入金装置５０において、紙幣投入部５２に投入された紙幣が投入紙幣検知センサ５２ｂにより検知されると（ＳＴＥＰ１０１の「ＹＥＳ」）、紙幣繰出機構５４により紙幣が１枚ずつ筐体１ａの内部に繰り出され、搬送部５６により搬送されるようになる（ＳＴＥＰ１０２）。
【００５４】
また、本実施の形態では、紙幣投入部５２に投入された紙幣が投入紙幣検知センサ５２ｂにより検知されると、硬貨繰出機構１３の駆動モータ１３ｂが回転盤１３ａを図３における時計回りの方向である逆方向に所定時間（例えば、数秒）だけ回転させるようになる（ＳＴＥＰ２）。このことにより、硬貨入金装置１０において硬貨投入部１２に投入された硬貨の量が少なく、硬貨投入部１２に硬貨が投入されて回転盤１３ａ上に集積されたにもかかわらず投入硬貨検知センサ１２ｂにより硬貨が検知されなかった場合でも、回転盤１３ａを逆方向に所定時間だけ回転させることにより、この回転盤１３ａ上に集積された少量の硬貨が撹拌されて投入硬貨検知センサ１２ｂにより検知されるようになる。回転盤１３ａが逆方向に所定時間だけ回転することによってこの回転盤１３ａ上に集積された硬貨が投入硬貨検知センサ１２ｂにより検知されると（ＳＴＥＰ３の「ＹＥＳ」）、硬貨が投入されたと判断して、駆動モータ１３ｂは回転盤１３ａを正方向に回転させる。このことにより、回転盤１３ａ上に集積された硬貨は当該回転盤１３ａにより１枚ずつ筐体１ａの内部に繰り出され、搬送部１４により搬送されるようになる（ＳＴＥＰ４）。このような回転盤１３ａの動作（すなわち、正方向の回転）は、硬貨投入部１２に投入された硬貨が全て筐体１ａ内に繰り出されて一時保留部２６またはリジェクト部２８に送られるまで行われるようになる。なお、回転盤１３ａが逆方向に所定時間だけ回転しても投入硬貨検知センサ１２ｂにより硬貨が検知されなかった場合には（ＳＴＥＰ３の「ＮＯ」）、硬貨が投入されなかったと判断して、回転盤１３ａは停止するようになる。
【００５５】
また、図７（ｃ）に示すようなガイダンス画面が操作表示部８６、８８に表示されているときに、操作者が貨幣入金機１の筐体１ａの上面に設けられたシャッタ１２ａやシャッタ５２ａを手動で開くことにより筐体１ａの外部から硬貨や紙幣を硬貨投入部１２や紙幣投入部５２に投入した後、右側の操作表示部８８に表示されている「スタート」ボタンを押下すると、硬貨入金装置１０において、硬貨投入部１２に投入され回転盤１３ａ上に集積された硬貨が投入硬貨検知センサ１２ｂにより検知された場合には駆動モータ１３ｂが回転盤１３ａを図３における反時計回りの方向である正方向に回転させ、このことにより回転盤１３ａ上に集積された硬貨は当該回転盤１３ａにより１枚ずつ筐体１ａの内部に繰り出される。また、右側の操作表示部８８に表示されている「スタート」ボタンが押下されたときに、投入硬貨検知センサ１２ｂにより硬貨が検知されなかった場合には駆動モータ１３ｂが回転盤１３ａを図３における時計回りの方向である逆方向に所定時間（例えば、数秒）だけ回転させる。そして、回転盤１３ａが逆方向に所定時間だけ回転することによってこの回転盤１３ａ上に集積された少量の硬貨が撹拌されて投入硬貨検知センサ１２ｂにより検知されると、駆動モータ１３ｂは回転盤１３ａを正方向に回転させる。このことにより、回転盤１３ａ上に集積された硬貨は回転盤１３ａにより１枚ずつ筐体１ａの内部に繰り出されるようになる。一方、回転盤１３ａが逆方向に所定時間だけ回転しても投入硬貨検知センサ１２ｂにより硬貨が検知されなかった場合には、回転盤１３ａは停止する。また、右側の操作表示部８８に表示されている「スタート」ボタンが押下されたときに、紙幣入金装置５０において、紙幣投入部５２に投入された紙幣が投入紙幣検知センサ５２ｂにより検知されたときに紙幣繰出機構５４により紙幣が１枚ずつ筐体１ａの内部に繰り出される。
【００５６】
硬貨入金装置１０において、硬貨投入部１２に投入された硬貨が硬貨繰出機構１３によって１枚ずつ筐体１ａの内部に繰り出され、搬送部１４により搬送される際に、識別部１６により硬貨の金種、真偽、正損等の識別が行われる（ＳＴＥＰ４）。識別部１６により正常な硬貨であると識別された硬貨（ＳＴＥＰ５の「ＹＥＳ」）は分岐機構１８により搬送部１４から分岐させられ、一時保留用シュート２２を介して一時保留部２６に送られ、この一時保留部２６に一時的に保留される（ＳＴＥＰ６）。この際に、一時保留部２６は図２における中央の位置に維持される。また、識別部１６により正常な硬貨ではないと識別された硬貨や識別部１６により識別することができなかった硬貨（ＳＴＥＰ５の「ＮＯ」）はリジェクト硬貨として開口２０から落下し、リジェクト用シュート２４を介してリジェクト部２８に送られる（ＳＴＥＰ７）。上述したように、貨幣入金機１の筐体１ａの前面側から操作者がリジェクト部２８にアクセスすることができるようになっているため、リジェクト部２８にリジェクト硬貨が送られると、操作者はリジェクト部２８からリジェクト硬貨を取り出して硬貨投入部１２に再投入等することができるようになる。
【００５７】
また、紙幣入金装置５０において、紙幣投入部５２に紙幣が投入された紙幣が紙幣繰出機構５４によって１枚ずつ筐体１ａの内部に繰り出され、搬送部５６により搬送される際に、識別部５８により紙幣の金種、真偽、正損等の識別が行われる（ＳＴＥＰ１０２）。識別部５８により正常な紙幣であると識別された紙幣（ＳＴＥＰ１０３の「ＹＥＳ」）は分岐機構６０により一時保留部６４に送られ、この一時保留部６４に一時的に保留される（ＳＴＥＰ１０４）。また、識別部５８により正常な紙幣ではないと識別された紙幣や識別部５８により識別することができなかった紙幣（ＳＴＥＰ１０３の「ＮＯ」）はリジェクト紙幣としてリジェクト部６２に送られる（ＳＴＥＰ１０５）。上述したように、貨幣入金機１の筐体１ａの前面側から操作者がリジェクト部６２にアクセスすることができるようになっているため、リジェクト部６２にリジェクト紙幣が送られると、操作者はリジェクト部６２からリジェクト紙幣を取り出して紙幣投入部５２に再投入等することができるようになる。
【００５８】
硬貨入金装置１０や紙幣入金装置５０において硬貨や紙幣の入金処理が行われている間には、図７（ｄ）に示すように操作表示部８６、８８には取引中における硬貨や紙幣の計数結果に係る情報が表示される。具体的には、左側の操作表示部８６において、取引中における硬貨入金装置１０や紙幣入金装置５０による硬貨や紙幣の計数金額（合計金額）がカウントアップ方式により表示される。また、リジェクト部２８にリジェクト硬貨が送られたり、リジェクト部６２にリジェクト紙幣が送られたりすると、左側の操作表示部８６には「リジェクトあり」というメッセージが表示されるようになる。また、右側の操作表示部８８に表示されている「枚数表示」のボタンを押下すると、左側の操作表示部８６には識別部１６、５８により識別された硬貨や紙幣の枚数が表示されるようになる。
【００５９】
硬貨投入部１２に投入された硬貨が全て硬貨繰出機構１３により筐体１ａの内部に繰り出されて一時保留部２６またはリジェクト部２８に送られるとともに（ＳＴＥＰ８の「ＹＥＳ」）、紙幣投入部５２に投入された紙幣が全て紙幣繰出機構５４により筐体１ａの内部に繰り出されて一時保留部６４またはリジェクト部６２に送られると（ＳＴＥＰ１０６の「ＹＥＳ」）、右側の操作表示部８８には、図７（ｅ）に示すような、操作者に対して入金確定の承認を求めるガイダンス画面が表示される。ここで、硬貨投入部１２に投入された硬貨が全て硬貨繰出機構１３により筐体１ａの内部に繰り出されたか否かの判断は、投入硬貨検知センサ１２ｂによる検知結果に基づいて行われるようになっており、また、紙幣投入部５２に投入された紙幣が全て紙幣繰出機構５４により筐体１ａの内部に繰り出されたか否かの判断は、投入紙幣検知センサ５２ｂによる検知結果に基づいて行われるようになっている。操作者に対して入金確定の承認を求めるガイダンス画面が右側の操作表示部８８に表示されると、操作キー８９が光るようになり、当該操作キー８９が確定キーであることが示されるようになる。
【００６０】
そして、操作者が操作キー８９を押下することにより入金確定の指令を本体制御部８０に入力すると（ＳＴＥＰ９の「ＹＥＳ」）、一時保留部２６は図２における中央の位置から右側の位置に移動し、この一時保留部２６に一時的に保留されている硬貨が当該一時保留部２６から自重により落下し、収納用シュート３２を介して硬貨収納カセット４０に送られ、この硬貨収納カセット４０に収納されるようになる（ＳＴＥＰ１０）。また、入金確定の指令が本体制御部８０に入力されると（ＳＴＥＰ１０７の「ＹＥＳ」）、一時保留部６４に一時的に保留された紙幣が当該一時保留部６４から紙幣収納カセット７０に送り込まれ、この紙幣収納カセット７０に収納されるようになる（ＳＴＥＰ１０８）。その後、貨幣入金機１は待機状態に戻り、操作表示部８６、８８には図７（ａ）に示すような待機画面が表示されるようになる。
【００６１】
一方、右側の操作表示部８８に、図７（ｅ）に示すような、操作者に対して入金確定の承認を求めるガイダンス画面が表示されているときに、操作者が操作キー８９を押下する代わりに操作表示部８８に表示されている「返却」ボタンを押下することにより返却の指令を本体制御部８０に入力すると（ＳＴＥＰ１１の「ＹＥＳ」）、一時保留部２６は図２における中央の位置から左側の位置に移動し、この一時保留部２６に一時的に保留された硬貨が当該一時保留部２６から自重により落下して硬貨返却箱３０に送られるようになる（ＳＴＥＰ１２）。また、返却の指令が本体制御部８０に入力されると、ロック部３１によるロック状態が解除され、硬貨返却箱３０は筐体１ａから手前側に引き出し可能となる。その後、操作者が把持部分３０ａを把持して硬貨返却箱３０を筐体１ａから手前側に引き出すことにより、硬貨返却箱３０に収納されている硬貨が筐体１ａの外部に返却される。また、返却の指令が本体制御部８０に入力されると（ＳＴＥＰ１０９の「ＹＥＳ」）、扉ロック部６５による扉１ｃのロック状態が解除され、操作者は扉１ｃを開くことにより一時保留部６４から紙幣を取り出すことができるようになる（ＳＴＥＰ１１０）。このようにして、一時保留部６４に収納されている紙幣が筐体１ａの外部に返却される。
【００６２】
本実施の形態の貨幣入金機１では、上述したように、硬貨の入金処理および紙幣の入金処理は同時並行的に行われ、単一の入金確定の指令あるいは返却の指令によって硬貨および紙幣の両方の収納動作または返却動作が行われるようになっている。
【００６３】
以上のような構成からなる本実施の形態の貨幣入金機１およびこのような貨幣入金機１による貨幣処理方法によれば、紙幣投入部５２に投入された紙幣を検知するための紙幣検知部として投入紙幣検知センサ５２ｂが設けられており、本体制御部８０は、投入紙幣検知センサ５２ｂにより紙幣が検知されると硬貨繰出機構１３および紙幣繰出機構５４をそれぞれ動作させるようこれらの硬貨繰出機構１３および紙幣繰出機構５４の制御を行うようになっている（ＳＴＥＰ１０１の「ＹＥＳ」およびＳＴＥＰ２参照）。このように、紙幣投入部５２に投入された紙幣が投入紙幣検知センサ５２ｂにより検知されるとこの紙幣投入部５２に設けられた紙幣繰出機構５４を動作させるとともに硬貨投入部１２に設けられた硬貨繰出機構１３を動作させることにより、入金開始ボタンを押下することなく硬貨や紙幣の入金処理を自動的に開始することができ、しかも硬貨投入部１２に投入された硬貨の量が少ない場合でも筐体１ａの内部への硬貨の繰出動作を行うことができるようになる。
【００６４】
より詳しく説明すると、従来技術では、貨幣入金機において硬貨の入金処理が行われる際に、硬貨投入部に投入された硬貨が投入硬貨検知センサにより検知されたときに硬貨繰出機構としての回転盤が駆動されてこの回転盤により硬貨が筐体の内部に繰り出されるようになっていた。しかしながら、このような従来技術の貨幣入金機では、硬貨の入金処理が行われる際に硬貨投入部に投入された硬貨の量が少ない場合には、硬貨投入部に投入され回転盤上に集積された硬貨を投入硬貨検知センサにより検知することができず、回転盤を自動的に動作させて筐体の内部に硬貨を繰り出させることができないおそれがあった。ここで、回転盤上に集積された硬貨が投入硬貨検知センサにより検知されず、回転盤が動作しなかった場合には、操作者は例えば入金開始ボタンを押下して入金処理開始の指令を制御部に送ることにより回転盤を動作させることができるが、この場合には無駄な待ち時間が発生したり、入金開始ボタンを押下するのに手間がかかるため操作性が悪くなったりするという問題がある。これに対し、本実施の形態の貨幣入金機１では、紙幣投入部５２に投入された紙幣が投入紙幣検知センサ５２ｂにより検知されると硬貨投入部１２に設けられた硬貨繰出機構１３が動作させられることにより、（少量の）硬貨が撹拌されて投入硬貨検知センサ１２ｂによって検知されるため、入金開始ボタンを押下しなくても硬貨の入金処理を自動的に開始することができ、よって従来技術における上記の問題を解消することができる。
【００６５】
また、本実施の形態の貨幣入金機１においては、上述したように、硬貨投入部１２に投入された硬貨を検知する硬貨検知部として投入硬貨検知センサ１２ｂが設けられており、本体制御部８０は、投入硬貨検知センサ１２ｂにより硬貨が検知されると硬貨繰出機構１３を動作させるようになっている（ＳＴＥＰ１の「ＹＥＳ」およびＳＴＥＰ４参照）。ここで、本体制御部８０は、投入紙幣検知センサ５２ｂにより紙幣が検知されたときの硬貨繰出機構１３（具体的には、回転盤１３ａ）の動作を、投入硬貨検知センサ１２ｂにより硬貨が検知されたときの硬貨繰出機構１３の動作と異ならせるよう硬貨繰出機構１３（具体的には、駆動モータ１３ｂ）の制御を行うようになっている。より詳細には、投入紙幣検知センサ５２ｂにより紙幣が検知されたときには、硬貨繰出機構１３の駆動モータ１３ｂは回転盤１３ａを図３における時計回りの方向である逆方向に所定時間（例えば、数秒）だけ回転させた後に停止させるのに対し（ＳＴＥＰ２）、投入硬貨検知センサ１２ｂにより硬貨が検知されたときには、駆動モータ１３ｂは回転盤１３ａを図３における反時計回りの方向である正方向に回転させ続けるようになる（ＳＴＥＰ４）。また、本体制御部８０は、投入紙幣検知センサ５２ｂにより紙幣が検知されたときに硬貨繰出機構１３を動作させた後、投入硬貨検知センサ１２ｂにより硬貨が検知されたときには（ＳＴＥＰ３の「ＹＥＳ」）、硬貨投入部１２から筐体１ａの内部に硬貨が全て繰り出されて投入硬貨検知センサ１２ｂにより硬貨が検知されなくなるまで硬貨繰出機構１３を動作させるよう当該硬貨繰出機構１３の制御を行うようになっている（ＳＴＥＰ４およびＳＴＥＰ８の「ＮＯ」参照）。
【００６６】
また、本実施の形態の貨幣入金機１においては、上述したように、硬貨繰出機構１３は、硬貨投入部１２に投入された硬貨が集積される回転盤１３ａを有しており、本体制御部８０は、投入紙幣検知センサ５２ｂにより紙幣が検知されると回転盤１３ａを回転させるよう硬貨繰出機構１３の駆動モータ１３ｂの制御を行うようになっている。
【００６７】
なお、本実施の形態による貨幣入金機やこの貨幣入金機による貨幣処理方法は、上述したような態様に限定されることはなく、様々な変更を加えることができる。
【００６８】
例えば、本実施の形態による貨幣入金機において硬貨の入金処理が行われる際に、投入紙幣検知センサ５２ｂにより紙幣が検知されたときには、硬貨繰出機構１３の駆動モータ１３ｂは回転盤１３ａを図３における時計回りの方向である逆方向に所定時間（例えば、数秒）だけ回転させるのではなく、当該回転盤１３ａを図３における反時計回りの方向である正方向に回転させ続け、回転盤１３ａによる筐体１ａ内への硬貨の繰出動作を行うようになっていてもよい。なお、この場合には、回転盤１３ａを正方向に回転させ始めた後、所定時間が経過しても投入硬貨検知センサ１２ｂにより硬貨が検知されなかったときには、回転盤１３ａを停止させるようにする。このように、変形例に係る貨幣入金機において、本体制御部８０は、投入紙幣検知センサ５２ｂにより紙幣が検知されたときの硬貨繰出機構１３（具体的には、回転盤１３ａ）の動作が、投入硬貨検知センサ１２ｂにより硬貨が検知されたときの硬貨繰出機構１３の動作と同じとなるよう当該硬貨繰出機構１３の駆動モータ１３ｂの制御を行うようになっていてもよい。
【００６９】
また、硬貨入金装置１０において硬貨投入部１２に投入された硬貨を筐体１ａの内部に繰り出すための硬貨繰出機構は、水平状態となるよう配置された円盤形状の回転盤１３ａを有するものに限定されることはない。硬貨投入部１２に投入された硬貨を筐体１ａの内部に繰り出すための硬貨繰出機構の他の構成例として、硬貨投入部１２の底部近傍に設けられた循環ベルトからなる繰出ベルトを有するものが用いられるようになっていてもよい。具体的には、硬貨投入部１２に投入された硬貨は繰出ベルト上に集積されるようになる。また、繰出ベルトの上方には硬貨１枚分の厚みよりもわずかに大きな隙間を隔てて逆転ローラが設けられており、繰出ベルトが駆動されたときに、この繰出ベルトと逆転ローラとの間の隙間を通過した硬貨が一層一列状態で筐体１ａの内部に繰り出されるようになる。このような繰出ベルト等からなる硬貨繰出機構が設けられた硬貨入金装置でも本発明の原理を適用することができる。
【００７０】
また、硬貨入金装置１０の硬貨投入部１２に設けられたシャッタ１２ａの開閉を検知するための開閉検知センサが設けられるとともに、紙幣入金装置５０の紙幣投入部５２に設けられたシャッタ５２ａの開閉を検知するための開閉検知センサが設けられていてもよい。この場合には、硬貨入金装置１０の硬貨投入部１２に設けられた開閉検知センサによりシャッタ１２ａの開閉動作（すなわち、シャッタ１２ａを開く動作およびシャッタ１２ａを閉じる動作のうちいずれかの動作）が検知されると、投入硬貨検知センサ１２ｂにより硬貨が検知されていなくても硬貨繰出機構１３の駆動モータ１３ｂが回転盤１３ａを図３における時計回りの方向である逆方向に所定時間（例えば、数秒）だけ回転させるようになっていてもよい。そして、回転盤１３ａが逆方向に所定時間だけ回転することによってこの回転盤１３ａ上に集積された硬貨が撹拌されて投入硬貨検知センサ１２ｂにより検知されると、駆動モータ１３ｂは回転盤１３ａを正方向に回転させ、このことにより回転盤１３ａ上に集積された硬貨は当該回転盤１３ａにより１枚ずつ筐体１ａの内部に繰り出されるようになる。一方、回転盤１３ａが逆方向に所定時間だけ回転しても投入硬貨検知センサ１２ｂにより硬貨が検知されなかった場合には、回転盤１３ａは停止する。このように、シャッタ１２ａの開閉動作をトリガーとして、駆動モータ１３ｂが回転盤１３ａを図３における時計回りの方向である逆方向に所定時間（例えば、数秒）だけ回転させるようになっていてもよい。
【００７１】
また、貨幣入金機１の筐体１ａの前面に人感センサ（図示せず）が設けられており、この筐体１ａの手前側で貨幣入金機１の操作を行う操作者が人感センサにより検知されるようになっていてもよい。この場合には、人感センサにより操作者が検知されている状態で、操作者が自己のＩＤカード等の記録媒体９２を読取部９０に通したり、操作者ＩＤを右側の操作表示部８８により手入力したりすることにより、当該操作者の権限が認証されると、投入硬貨検知センサ１２ｂにより硬貨が検知されていなくても硬貨繰出機構１３の駆動モータ１３ｂが回転盤１３ａを図３における時計回りの方向である逆方向に所定時間（例えば、数秒）だけ回転させるようになる。そして、回転盤１３ａが逆方向に所定時間だけ回転することによってこの回転盤１３ａ上に集積された硬貨が撹拌されて投入硬貨検知センサ１２ｂにより検知されると、駆動モータ１３ｂは回転盤１３ａを正方向に回転させ、このことにより回転盤１３ａ上に集積された硬貨は当該回転盤１３ａにより１枚ずつ筐体１ａの内部に繰り出されるようになる。一方、回転盤１３ａが逆方向に所定時間だけ回転しても投入硬貨検知センサ１２ｂにより硬貨が検知されなかった場合には、回転盤１３ａは停止する。このように、人感センサによる操作者の検知および当該操作者の権限の認証をトリガーとして、駆動モータ１３ｂが回転盤１３ａを図３における時計回りの方向である逆方向に所定時間（例えば、数秒）だけ回転させるようになっていてもよい。
【００７２】
また、図７（ａ）〜（ｆ）に示すような硬貨や紙幣の入金処理や計数処理に関する画面（具体的には、計数結果を示す画面やガイダンス画面）を操作表示部８６、８８に表示させる際に、操作者ＩＤ等の識別情報によって操作表示部８６、８８に表示される画面の背景色（具体的には、操作表示部８６、８８に表示される画面におけるヘッダー部やフッダー部の背景色）や文字の色等を変化させるようになっていてもよい。具体的には、記憶部９４には、操作者ＩＤ等の識別情報と、操作表示部８６、８８の表示に関する色とが紐付けられて記憶されるようになっている。そして、貨幣入金機１において硬貨や紙幣の入金処理を行うにあたり、操作者が自己のＩＤカード等の記録媒体９２を読取部９０に通したり、操作者ＩＤを右側の操作表示部８８により手入力したりすることにより、当該操作者の権限が認証されると、操作表示部８６、８８に表示される画面の背景色や文字の色が、記憶部９４の記憶内容に基づく、読取部９０等により取得された識別情報に対応する色となる。この場合には、操作者が誤ったＩＤカード（例えば、他人のＩＤカード）を読取部９０に通す等によって誤った識別情報を本体制御部８０に入力してしまった場合でも、操作表示部８６、８８に表示される画面の背景色や文字の色が変わるようになるため、当該操作者はすぐに本体制御部８０に誤った識別情報を入力したことに気づくことができるようになる。このように、上記の技術的事項によれば、操作者が本体制御部８０に誤った識別情報を入力した場合に当該操作者に対して誤操作が行われたことを視覚的に報知することができるようになる。
【００７３】
また、本発明による貨幣入金機は、硬貨入金装置および紙幣入金装置が一体となったものに限定されることはない。変形例に係る貨幣入金機において、硬貨入金装置および紙幣入金装置が別々に設けられるとともに、これらの硬貨入金装置および紙幣入金装置が無線ＬＡＮや有線ＬＡＮによって互いに通信可能に接続されるようになっていてもよい。この場合でも、紙幣入金装置において紙幣投入部に投入された紙幣が投入紙幣検知センサにより検知されると、このような投入紙幣検知センサによる検知情報が紙幣入金装置から硬貨入金装置に送信されることにより硬貨入金装置において硬貨投入部に設けられた回転盤等の硬貨繰出機構を動作させることができるようになり、よって、入金開始ボタンを押下することなく硬貨や紙幣の入金処理を自動的に開始することができるようになる。また、このような硬貨入金装置および紙幣入金装置が別々に設けられた変形例に係る貨幣入金機では、硬貨入金装置および紙幣入金装置が一体となった図１等に示す貨幣入金機と同様に、硬貨入金装置において硬貨投入部に投入された硬貨の量が少ない場合でも筐体の内部への硬貨の繰出動作を行うことができるようになる。
【００７４】
また、本発明では、投入紙幣検知センサ５２ｂにより紙幣が検知されると硬貨繰出機構１３および紙幣繰出機構５４をそれぞれ動作させるようこれらの硬貨繰出機構１３および紙幣繰出機構５４の制御を行う制御部が貨幣入金機１に設けられることに限定されることはない。本発明では、貨幣入金機１と、当該貨幣入金機１の通信インターフェース部９８を介して通信可能に接続された管理装置（例えば、上位の管理コンピュータや、親子接続された他の貨幣入金機１（親機）、等）とから有価媒体処理システムが構成されており、この有価媒体処理システムの管理装置に上記の制御部が設けられるようになっていてもよい。
【００７５】
また、本発明では、少なくとも硬貨を入金可能な硬貨入金装置が単体で用いられるようになっていてもよい。すなわち、上記の貨幣入金機において紙幣入金装置の設置が省略されるようになっていてもよい。本発明による硬貨入金装置は、投入された硬貨を筐体の内部に繰り出すための回転盤等の硬貨繰出機構が設けられた硬貨投入部と、硬貨投入部に投入された硬貨を検知する投入硬貨検知センサ（硬貨検知部）と、特定の検知情報を受信すると硬貨繰出機構を動作させるよう当該硬貨繰出機構の制御を行う制御部とを備えている。ここで、特定の検知情報とは、硬貨の入金処理が開始されたかもしれない情報のことをいう。具体的には、回転盤等の硬貨繰出機構を動作させるトリガーとなる特定の検知情報は、硬貨投入部の近傍に設けられた開閉検知センサによるシャッタの開閉動作の検知、制御部への入金開始指令の入力（具体的には、操作表示部に表示される「スタート」ボタンの押下）、制御部への識別情報の入力（具体的には、操作者が自己のＩＤカード等の記録媒体をカードリーダ等の読取部に通したり、操作者ＩＤを操作表示部により手入力したりする動作）、硬貨入金装置の筐体の前面に設けられた人感センサによる操作者の検知のうち少なくともいずれか一つのものとなっている。
【００７６】
また、このような硬貨入金装置が紙幣等の紙葉類の入金処理を行う紙葉類処理装置と併設される場合には、硬貨入金装置において回転盤等の硬貨繰出機構を動作させるトリガーとなる特定の検知情報として、この硬貨入金装置に併設された紙葉類処理装置の投入部に投入された紙葉類の検知が用いられてもよい。
【００７７】
本発明による硬貨入金装置は、上述した様々な種類の特定の検知情報を受信すると、回転盤を逆方向に所定時間（例えば、数秒）だけ回転させ、投入硬貨検知センサにより硬貨が検知されたときには、当該投入硬貨検知センサにより硬貨が検知されなくなるまで回転盤を正方向に動作させ続けるようにする。このことにより、単体で用いられる硬貨入金装置において硬貨の入金処理を自動的に開始することができ、しかも硬貨投入部に投入された硬貨の量が少ない場合でも筐体の内部への硬貨の繰出動作を行うことができるようになる。
【００７８】
また、図１乃至図７等に示すような貨幣入金機１の代わりに、図８乃至図１０に示す貨幣釣銭機に本発明の原理を適用することができるようになっている。本発明の原理が適用される貨幣釣銭機の構成の概略について図８乃至図１０を用いて以下に述べる。なお、図８は、本発明の原理が適用される貨幣釣銭機およびこの貨幣釣銭機に通信可能に接続されたＰＯＳレジスタの構成を示す斜視図であり、図９は、図８に示す貨幣釣銭機およびＰＯＳレジスタの内部構成の概略を示す概略構成図であり、図１０は、図８に示す貨幣釣銭機およびＰＯＳレジスタの制御系の構成を示す機能ブロック図である。
【００７９】
図８に示すように、貨幣釣銭機において、硬貨釣銭機１００および棒金収納装置４００が上下に並べて配置されているとともに、これらの硬貨釣銭機１００や棒金収納装置４００の隣に並ぶよう紙幣釣銭機２００が配置されている。また、硬貨釣銭機１００や紙幣釣銭機２００の上方にはＰＯＳレジスタ３００が配置されている。硬貨釣銭機１００および紙幣釣銭機２００は、それぞれ硬貨や紙幣の入出金処理を行うようになっている。また、紙幣釣銭機２００では商品券の入金処理も行うことができるようになっている。また、棒金収納装置４００は、各金種の棒金硬貨（同一金種の硬貨を一定枚数だけ棒状にまとめてフィルムや包装紙等により包装したもの）を取り出し可能に収納するようになっている。また、ＰＯＳレジスタ３００は、硬貨釣銭機１００、紙幣釣銭機２００および棒金収納装置４００の管理を行う管理装置として用いられるようになっている。
【００８０】
図９において、硬貨釣銭機１００および棒金収納装置４００についてはこれらの硬貨釣銭機１００や棒金収納装置４００を上方から見たときの内部構成が模式的に示されており、紙幣釣銭機２００およびＰＯＳレジスタ３００についてはこれらの紙幣釣銭機２００やＰＯＳレジスタ３００を側方から見たときの内部構成が模式的に示されている。図９に示すように、硬貨釣銭機１００は、上位制御部１２０および硬貨釣銭機制御部１３０を有しており、これらの上位制御部１２０および硬貨釣銭機制御部１３０は通信可能に接続されている。また、紙幣釣銭機２００は紙幣釣銭機制御部２３０を有しており、この紙幣釣銭機制御部２３０は硬貨釣銭機１００の上位制御部１２０に通信可能に接続されている。また、棒金収納装置４００は棒金収納装置制御部４３０を有しており、この棒金収納装置制御部４３０は硬貨釣銭機１００の上位制御部１２０に通信可能に接続されている。また、ＰＯＳレジスタ３００はＰＯＳ制御部３３０を有しており、硬貨釣銭機１００の上位制御部１２０はＰＯＳレジスタ３００のＰＯＳ制御部３３０に通信可能に接続されている。また、図示していないが、ＰＯＳレジスタ３００のＰＯＳ制御部３３０は店舗サーバ等の上位端末と通信可能に接続されている。
【００８１】
まず、硬貨釣銭機１００の構成について具体的に説明する。図８に示すように、硬貨釣銭機１００は、前部上面にタッチパネル等の操作表示部１１２が設けられた筐体１１０を備えている。筐体１１０の前部には硬貨受入部１１４および硬貨払出部１１６が設けられている。
【００８２】
硬貨受入部１１４は、硬貨投入口を介して受け入れた硬貨を１層１列状態で１枚ずつ筐体１１０内に取り込むようになっている。より詳細には、硬貨受入部１１４の底部近傍には、筐体１１０の内部に硬貨を繰り出すための硬貨繰出機構１１９（図１０参照）として循環ベルトからなる繰出ベルト（図示せず）が設けられており、硬貨受入部１１４に投入された硬貨は繰出ベルト上に集積されるようになっている。また、硬貨受入部１１４には、筐体１１０の外部から当該硬貨受入部１１４に投入された硬貨を検知するための投入硬貨検知センサ１１５が設けられている。投入硬貨検知センサ１１５は、例えば対向して設けられた発光素子および受光素子を有するフォトインタラプタ等から構成されており、硬貨受入部１１４に投入されて繰出ベルト上に集積された硬貨が発光素子と受光素子との間の光軸を遮ることによって当該硬貨が投入硬貨検知センサ１１５により検知されるようになっている。このような硬貨受入部１１４では、硬貨投入口に投入された硬貨が投入硬貨検知センサ１１５により検知されると繰出ベルトが駆動されることにより当該繰出ベルトが硬貨を硬貨釣銭機１００の筐体１１０内に１枚ずつ繰り出すようになっている。また、図８に示すように、硬貨受入部１１４の硬貨投入口には当該硬貨投入口の開閉を行うシャッタ１１８が設けられており、シャッタ１１８が開かれたときに硬貨受入部１１４に硬貨を投入することができるようになっている。また、図９に示すように、硬貨受入部１１４には、当該硬貨受入部１１４により筐体１１０内に取り込まれた硬貨を搬送する入金搬送部１０３が接続されている。
【００８３】
図９に示すように、入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等の、硬貨払出部１１６から払い出されるべき硬貨を出金搬送部１０８へ案内（搬送）するようになっている。
【００８４】
一方、正常硬貨等の筐体１１０内に収納されるべき硬貨は入金搬送部１０３により硬貨収納部１０６へ搬送されるようになっている。硬貨収納部１０６は硬貨を金種別に収納するようになっている。具体的には、例えば日本国で流通している硬貨の６つの金種（５００円硬貨、１００円硬貨、５０円硬貨、１０円硬貨、５円硬貨および１円硬貨）に対応して６つの硬貨収納部１０６が設けられており、入金搬送部１０３の上流側（すなわち、図９における下側）から高額順に各硬貨収納部１０６に硬貨が金種毎に収納されるようになっている。また、硬貨収納部１０６には、当該硬貨収納部１０６に収納された硬貨を１枚ずつ出金搬送部１０８に繰り出す硬貨繰出機構（図示せず）が設けられている。
【００８５】
出金搬送部１０８は、硬貨収納部１０６から繰り出された硬貨を硬貨払出部１１６へ搬送するようになっている。また、出金搬送部１０８は、分岐部１０４から案内されたリジェクト硬貨等を硬貨払出部１１６へ搬送するようになっている。
【００８６】
次に、紙幣釣銭機２００の構成について具体的に説明する。図８および図９に示すように、紙幣釣銭機２００は、筐体２１０と、この筐体２１０内の略中央部に設けられた環状の周回搬送部２０３ａとを備えている。また、紙幣受入部２１４、３つの紙幣収納部２０６、紙幣払出部２１６、出金リジェクト部２０４、および紙幣回収カセット２０７が、周回搬送部２０３ａを外側から取り囲むように配置されている。
【００８７】
また、紙幣釣銭機２００の筐体２１０の内部には、紙幣受入部２１４、各紙幣収納部２０６、紙幣払出部２１６、出金リジェクト部２０４、および紙幣回収カセット２０７と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行うようになっている。
【００８８】
また、周回搬送部２０３ａと各接続搬送部２０３ｂとの間で紙幣の搬送経路を切り換える経路切換部（図示せず）が、周回搬送部２０３ａに沿って配置されている。
【００８９】
図８および図９に示すように、筐体２１０の前面には、紙幣受入部２１４の紙幣受入口２１４ａと、紙幣払出部２１６の紙幣取出口２１６ａとがそれぞれ設けられている。また、紙幣回収カセット２０７は筐体２１０に対して着脱可能に取り付けられている。
【００９０】
紙幣受入部２１４には、紙幣受入口２１４ａを介して当該紙幣受入部２１４に投入された紙幣が検知されると当該紙幣を一括で取り込んで周回搬送部２０３ａ側へ１枚ずつ繰り出す紙幣繰出機構２１９（図１０参照）が設けられている。より詳細には、紙幣受入部２１４には、筐体２１０の外部から当該紙幣受入部２１４に投入された紙幣を検知するための投入紙幣検知センサ２１５が設けられている。投入紙幣検知センサ２１５は、例えば対向して設けられた発光素子および受光素子を有するフォトインタラプタ等から構成されており、紙幣受入部２１４に投入された紙幣が発光素子と受光素子との間の光軸を遮ることによって当該紙幣が投入紙幣検知センサ２１５により検知されるようになっている。このような紙幣受入部２１４では、紙幣受入口２１４ａを介して紙幣受入部２１４に投入された紙幣が投入紙幣検知センサ２１５により検知されるとこの紙幣受入部２１４に設けられた紙幣繰出機構２１９が駆動され、紙幣受入部２１４に投入された紙幣を紙幣繰出機構２１９により一括で取り込んで周回搬送部２０３ａ側へ１枚ずつ繰り出すようになっている。
【００９１】
各紙幣収納部２０６は、紙幣識別部２０１の識別結果に基づいて紙幣を金種別に収納する。具体的には、３つの紙幣収納部２０６として、一万円札を収納する紙幣収納部２０６、五千円札および二千円札を混合状態で収納する紙幣収納部２０６、および千円札を収納する紙幣収納部２０６がそれぞれ設けられている。また、紙幣収納部２０６には、当該紙幣収納部２０６に収納された紙幣を１枚ずつ周回搬送部２０３ａに繰り出す紙幣繰出機構（図示せず）が設けられている。
【００９２】
また、紙幣払出部２１６は、各紙幣収納部２０６から周回搬送部２０３ａに繰り出された紙幣を紙幣取出口２１６ａより機外へ放出するようになっている。より詳細には、紙幣釣銭機２００において紙幣の出金処理を行う際に、紙幣釣銭機２００から払い出されるべき紙幣が全て各紙幣収納部２０６から紙幣払出部２１６に送られるまでは各紙幣収納部２０６から紙幣払出部２１６に送られた紙幣は当該紙幣払出部２１６で一時的に保留されるようになっている。そして、紙幣釣銭機２００から払い出されるべき紙幣が全て各紙幣収納部２０６から紙幣払出部２１６に送られた後、紙幣払出部２１６に一時的に保留された紙幣が一括して紙幣取出口２１６ａに送られ、操作者はこの紙幣取出口２１６ａから紙幣の束を抜き取ることができるようになる。また、紙幣取出口２１６ａには、紙幣払出部２１６から紙幣取出口２１６ａに送られた紙幣を検知する紙幣残留検知センサ（図示せず）が設けられている。このような紙幣残留検知センサにより、紙幣払出部２１６から紙幣取出口２１６ａに送られた紙幣が操作者によって全て抜き取られたときにこのことが検知されるようになる。
【００９３】
出金リジェクト部２０４は、紙幣釣銭機２００において出金処理が行われる際に紙幣収納部２０６から繰り出された紙幣のうち、斜行等の搬送異常により紙幣識別部２０１で識別することができない紙幣を出金リジェクト紙幣として収納する。また、紙幣受入部２１４から筐体２１０内に取り込まれた紙幣のうち、汚損等により紙幣識別部２０１で識別することができない紙幣は入金リジェクト紙幣として紙幣払出部２１６に返却されるようになっている。
【００９４】
次に、棒金収納装置４００の構成について簡単に説明する。図８および図９に示すように、棒金収納装置４００は、手前側の側面が開口している筐体４１０と、筐体４１０内に収容可能となっているとともに当該筐体４１０から手前側に引き出し可能な収納ドロア４１２とを備えており、収納ドロア４１２には各金種の棒金硬貨が例えば２列で収納されるようになっている。ここで、収納ドロア４１２には、棒金硬貨を１本ずつ収納する収納部（ポケット）が複数個形成されており、各収納部に収納される棒金硬貨の金種毎の収納本数および位置が予め設定されている。
【００９５】
また、図９に示すように、棒金収納装置４００の筐体４１０の内部には、収納ドロア４１２が筐体４１０に完全に収容されたときに当該収納ドロア４１２を筐体４１０内にロックするためのロック部４１６が設けられている。ここで、ロック部４１６が収納ドロア４１２を筐体４１０内にロックしたときには、この収納ドロア４１２を筐体４１０から手前側に引き出すことができなくなり、よって収納ドロア４１２から棒金硬貨を取り出すことができなくなる。ロック部４１６によるロックが解除されると、図示されないバネ構造の付勢により収納ドロア４１２が筐体４１０の前面から手前側に若干量突出した状態となる。
【００９６】
また、棒金収納装置４００の筐体４１０における前面開口の近傍には、収納ドロア４１２が筐体４１０から手前側に引き出されたり筐体４１０の内部に戻されたりする際に当該収納ドロア４１２に収納されている棒金硬貨の金種毎の本数を検知する棒金検知部４１４が設けられている。具体的には、図９等に示すように、棒金検知部４１４は４対の光センサ４１４ａ、４１４ｂおよび筐体４１０からの収納ドロア４１２の引き出し量を検知するロータリエンコーダ４１４ｃを有している。ここで、２対の光センサ４１４ａの各々は発光素子および受光素子を有しており、発光素子から発せられた光は、棒金収納装置４００の高さ方向（すなわち、図９の紙面に直交する方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ａにおいて発光素子から発せられた光は受光素子により受けられる。一方、収納ドロア４１２が筐体４１０から手前側に引き出されたり筐体４１０の内部に戻されたりする際に、各光センサ４１４ａの発光素子から発せられた光が収納ドロア４１２内に収納された棒金硬貨により遮られることにより受光素子に届かなくなり、このことにより棒金硬貨の有無や直径の大きさが検知されるようになる。
【００９７】
また、２対の光センサ４１４ｂの各々は発光素子および受光素子を有しており、発光素子から発せられた光は、棒金収納装置４００の幅方向（すなわち、図９における左右方向）に延びる光軸を通って受光素子に送られるようになっている。そして、収納ドロア４１２が筐体４１０内に完全に収容されていたり当該収納ドロア４１２が筐体４１０から完全に引き出されたりしているときには、各光センサ４１４ｂにおいて発光素子から発せられた光は受光素子により受けられる。一方、収納ドロア４１２が筐体４１０から手前側に引き出されたり筐体４１０の内部に戻されたりする際に、各光センサ４１４ｂの発光素子から発せられた光が収納ドロア４１２内に収納された棒金硬貨により遮られることにより受光素子に届かなくなり、このことにより棒金硬貨の孔の有無が検知されるようになる。
【００９８】
前述したように、収納ドロア４１２において、収納される棒金硬貨の金種毎の収納本数および位置が予め設定されているため、光センサ４１４ａ、４１４ｂにより検知された棒金硬貨の有無や直径、孔の有無、ならびにロータリエンコーダ４１４ｃにより検知された筐体４１０からの収納ドロア４１２の引き出し量に基づいて、収納ドロア４１２に収納された棒金硬貨の金種毎の本数、および各棒金硬貨が収納ドロア４１２内の所定の位置に正しく収納されているか否か等が検知されるようになっている。
【００９９】
なお、本実施の形態による棒金収納装置４００は上記の構成のものに限定されることはない。他の構成の棒金収納装置４００において、収納ドロア４１２に収納されている棒金硬貨の金種毎の本数を検知する棒金検知部４１４として、収納ドロア４１２の収納部に収納される棒金硬貨の有無および金種（材質）を検出するセンサを全ての収納部（ポケット）に配置するような方式のものが用いられてもよい。
【０１００】
次に、ＰＯＳレジスタ３００の構成について具体的に説明する。ＰＯＳレジスタ３００のＰＯＳ制御部３３０は、図９に示すように、硬貨釣銭機１００の上位制御部１２０に通信可能に接続されているとともに、店舗サーバ等の上位端末（図示せず）にも通信接続されている。そして、このＰＯＳ制御部３３０は、硬貨釣銭機１００の上位制御部１２０を介して当該硬貨釣銭機１００の硬貨釣銭機制御部１３０や紙幣釣銭機２００の紙幣釣銭機制御部２３０に指令を送ることにより硬貨釣銭機１００や紙幣釣銭機２００に対して硬貨や紙幣の入出金処理を行わせるようになっている。また、ＰＯＳ制御部３３０は、硬貨釣銭機１００の上位制御部１２０を介して棒金収納装置４００の棒金収納装置制御部４３０に指令を送ることによりロック部４１６による筐体４１０内での収納ドロア４１２のロックや当該ロックの解除を行わせるようになっている。また、ＰＯＳ制御部３３０は、硬貨釣銭機１００の硬貨釣銭機制御部１３０や紙幣釣銭機２００の紙幣釣銭機制御部２３０から、上位制御部１２０を介して、硬貨釣銭機１００や紙幣釣銭機２００における硬貨や紙幣の処理状況に係る情報を受け取るようになっている。
【０１０１】
操作部３０４は、操作者が操作することができるようになっており、ＰＯＳ制御部３３０に対して様々な指令を与えることができるようになっている。また、表示部３０２は、硬貨釣銭機１００や紙幣釣銭機２００における硬貨や紙幣の処理状況や、硬貨釣銭機１００や紙幣釣銭機２００の内部に収納された硬貨や紙幣の在高等の情報を表示するようになっている。また、ＰＯＳレジスタ３００には客（購入者）が視認可能な追加の表示部３０２ａが設けられており、様々な情報を表示部３０２に表示させる代わりに、あるいは表示部３０２における表示に加えて、追加の表示部３０２ａにおいて表示が行われるようになっていてもよい。また、ＰＯＳレジスタ３００にはカードリーダ３３６および印字部３３８が設けられている（図１０参照、図８および図９では図示せず）。カードリーダ３３６は、操作者のＩＤカードを読み取ることにより操作者のＩＤや権限等に関する情報を取得するようになっている。また、印字部３３８は例えばプリンタから構成され、売上レシートや集計レシートに加えて、硬貨釣銭機１００や紙幣釣銭機２００に収納された硬貨や紙幣の在高等の様々な情報を印字するようになっている。
【０１０２】
図１０は、上述のような構成からなる貨幣釣銭機およびＰＯＳレジスタ３００の制御系の構成を示す機能ブロック図である。図１０に示すように、硬貨釣銭機１００の上位制御部１２０には、硬貨釣銭機１００のインターフェース１３２、操作表示部１１２、音声部１１３および記憶部１３４が接続されている。この上位制御部１２０は、インターフェース１３２により、紙幣釣銭機２００の紙幣釣銭機制御部２３０やＰＯＳレジスタ３００のＰＯＳ制御部３３０、棒金収納装置４００の棒金収納装置制御部４３０に対して信号の送受信を行うようになっている。また、操作者により操作表示部１１２に入力された指令が当該操作表示部１１２から上位制御部１２０に送られるとともに、上位制御部１２０は操作表示部１１２に指令を送ることにより当該操作表示部１１２に様々な情報を表示させるようになっている。より詳細には、操作表示部１１２には、硬貨釣銭機１００や紙幣釣銭機２００における硬貨や紙幣の処理状況や、硬貨釣銭機１００や紙幣釣銭機２００の内部に収納された硬貨や紙幣の在高が表示されるようになっている。また、音声部１１３は、音声により操作者に対して様々な通知を行うことができるようになっている。また、記憶部１３４には、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【０１０３】
硬貨釣銭機１００の硬貨釣銭機制御部１３０には、硬貨繰出機構１１９、投入硬貨検知センサ１１５、入金搬送部１０３、硬貨識別部１０１、分岐部１０４、硬貨収納部１０６、出金搬送部１０８、硬貨払出部１１６等がそれぞれ接続されており、硬貨識別部１０１による硬貨の識別結果や投入硬貨検知センサ１１５による硬貨の検知結果が送られるとともに、硬貨釣銭機制御部１３０から硬貨繰出機構１１９、入金搬送部１０３、分岐部１０４、硬貨収納部１０６、出金搬送部１０８、硬貨払出部１１６等の各々に対して様々な指令が送られるようになっている。
【０１０４】
紙幣釣銭機２００の紙幣釣銭機制御部２３０には、インターフェース２３２、紙幣繰出機構２１９、投入紙幣検知センサ２１５、周回搬送部２０３ａ、接続搬送部２０３ｂ、紙幣識別部２０１、紙幣収納部２０６、出金リジェクト部２０４、紙幣払出部２１６等がそれぞれ接続されており、紙幣識別部２０１による紙幣の識別結果や投入紙幣検知センサ２１５による紙幣の検知結果が紙幣釣銭機制御部２３０に送られるとともに、紙幣釣銭機制御部２３０から紙幣繰出機構２１９、周回搬送部２０３ａ、接続搬送部２０３ｂ、紙幣収納部２０６、出金リジェクト部２０４、紙幣払出部２１６等の各々に対して様々な指令が送られるようになっている。また、紙幣釣銭機２００の紙幣釣銭機制御部２３０は、インターフェース２３２により、硬貨釣銭機１００の上位制御部１２０に対して信号の送受信を行うようになっている。
【０１０５】
棒金収納装置４００の棒金収納装置制御部４３０には、インターフェース４３２、棒金検知部４１４、ロック部４１６、記憶部４３４、表示部４２０等がそれぞれ接続されており、棒金検知部４１４から収納ドロア４１２内の棒金硬貨の検知結果が棒金収納装置制御部４３０に送られるとともに、棒金収納装置制御部４３０からロック部４１６に対して収納ドロア４１２を筐体４１０内にロックするか否かの指令が送られるようになっている。また、棒金収納装置制御部４３０は表示部４２０に指令を送ることにより当該表示部４２０を点灯させることができるようになっている。また、棒金収納装置４００の棒金収納装置制御部４３０は、インターフェース４３２により、硬貨釣銭機１００の上位制御部１２０に対して信号の送受信を行うようになっている。また、記憶部４３４には、棒金収納装置４００の内部に収納された棒金硬貨の在高等の様々な情報が記憶されるようになっている。
【０１０６】
また、ＰＯＳレジスタ３００のＰＯＳ制御部３３０には、表示部３０２、操作部３０４、記憶部３３４、インターフェース３３２、カードリーダ３３６、印字部３３８等がそれぞれ接続されており、操作者により操作部３０４に入力された指令が当該操作部３０４からＰＯＳ制御部３３０に送られたり、カードリーダ３３６により読み取られた操作者のＩＤカードに係る情報がＰＯＳ制御部３３０に送られたりするようになっている。また、ＰＯＳ制御部３３０は表示部３０２に指令を送ることにより当該表示部３０２に様々な情報を表示させるようになっている。なお、ＰＯＳ制御部３３０は、表示部３０２に様々な情報を表示させる代わりに、あるいは表示部３０２における表示に加えて、追加の表示部３０２ａにおいて表示を行わせるようになっていてもよい。また、ＰＯＳ制御部３３０は印字部３３８に指令を送ることにより当該印字部３３８により様々な情報を印字させるようになっている。また、ＰＯＳレジスタ３００のＰＯＳ制御部３３０は、インターフェース３３２により、硬貨釣銭機１００の上位制御部１２０や店舗サーバ等の上位端末（図示せず）に対して信号の送受信を行うようになっている。また、記憶部３３４には、硬貨釣銭機１００や紙幣釣銭機２００から送信された、硬貨釣銭機１００や紙幣釣銭機２００における硬貨や紙幣の処理状況や、硬貨釣銭機１００や紙幣釣銭機２００の内部に収納された硬貨や紙幣の在高等の様々な情報が記憶されるようになっている。
【０１０７】
次に、このような構成からなる貨幣釣銭機の動作について説明する。具体的には、店員が顧客から預かった売上金としての硬貨や紙幣を貨幣釣銭機に入金する際の動作について以下に説明する。なお、以下に示す貨幣釣銭機の動作は、硬貨釣銭機１００の硬貨釣銭機制御部１３０や紙幣釣銭機２００の紙幣釣銭機制御部２３０が硬貨釣銭機１００や紙幣釣銭機２００の各構成要素をそれぞれ制御することにより行われる。
【０１０８】
店員が顧客から預かった売上金としての硬貨や紙幣を貨幣釣銭機に入金する際に、当該店員がＰＯＳレジスタ３００の操作部３０４や硬貨釣銭機１００の操作表示部１１２によって入金処理開始の指令を上位制御部１２０に与えると、硬貨受入部１１４の硬貨投入口に設けられたシャッタ１１８が開かれるようになる。なお、このようなシャッタ１１８は店員が手動で開くことができるようになっていてもよい。そして、店員が顧客から預かった売上金としての硬貨や紙幣を硬貨受入部１１４や紙幣受入部２１４に投入すると、硬貨受入部１１４に投入された硬貨が筐体１１０の内部に繰り出されるとともに紙幣受入部２１４に投入された紙幣が筐体２１０の内部に繰り出されるようになる。具体的には、硬貨釣銭機１００において、硬貨受入部１１４に投入された硬貨が投入硬貨検知センサ１１５により検知されると、この硬貨受入部１１４に設けられた硬貨繰出機構１１９（具体的には、硬貨受入部１１４の底部近傍に設けられた繰出ベルト）が駆動され、よって搬送ベルト上の硬貨が１層１列状態で１枚ずつ筐体１１０の内部に繰り出されて入金搬送部１０３により搬送されるようになる。また、紙幣釣銭機２００において、紙幣受入口２１４ａを介して紙幣受入部２１４に投入された紙幣が投入紙幣検知センサ２１５により検知されると、紙幣受入部２１４に設けられた紙幣繰出機構２１９が駆動され、当該紙幣受入部２１４に投入された入金紙幣が一括で筐体２１０内に取り込まれて、周回搬送部２０３ａ側へ１枚ずつ繰り出されるようになる。
【０１０９】
また、紙幣釣銭機２００において紙幣受入部２１４に投入された紙幣が投入紙幣検知センサ２１５により検知されると、硬貨受入部１１４の繰出ベルトが駆動されていない場合には、当該繰出ベルトが所定時間（例えば、数秒）だけ硬貨の繰出方向または繰出方向とは逆方向に駆動されるようになる。このことにより、硬貨釣銭機１００において硬貨受入部１１４に投入された硬貨の量が少なく、硬貨受入部１１４に硬貨が投入されて繰出ベルト上に集積されたにもかかわらず投入硬貨検知センサ１１５により硬貨が検知されなかった場合でも、この繰出ベルトが所定時間だけ硬貨の繰出方向または繰出方向とは逆方向に循環移動することにより、繰出ベルト上に集積された硬貨が投入硬貨検知センサ１１５により検知されるようになる。繰出ベルトが所定時間だけ硬貨の繰出方向または繰出方向とは逆方向に循環移動することによってこの繰出ベルト上に集積された硬貨が撹拌されて投入硬貨検知センサ１１５により検知されると、繰出ベルトが硬貨の繰出方向に循環移動するよう引き続き駆動されるようになり、このことにより硬貨受入部１１４に投入された硬貨は繰出ベルトによって１層１列状態で１枚ずつ筐体１１０の内部に繰り出されて入金搬送部１０３により搬送されるようになる。なお、繰出ベルトが所定時間だけ硬貨の繰出方向または繰出方向とは逆方向に循環移動しても投入硬貨検知センサ１１５により硬貨が検知されなかった場合には、当該繰出ベルトは停止するようになる。
【０１１０】
また、店員が顧客から預かった売上金としての硬貨や紙幣を硬貨受入部１１４や紙幣受入部２１４に投入した後、硬貨釣銭機１００の操作表示部１１２に表示されている「スタート」ボタンを押下すると、硬貨釣銭機１００において、硬貨受入部１１４に投入された硬貨が投入硬貨検知センサ１１５により検知された場合にはこの硬貨受入部１１４に設けられた硬貨繰出機構１１９の繰出ベルトが駆動され、よって搬送ベルト上の硬貨が１層１列状態で１枚ずつ筐体１１０の内部に繰り出される。また、操作表示部１１２に表示されている「スタート」ボタンが押下されたときに、投入硬貨検知センサ１１５により硬貨が検知されなかった場合にはこの繰出ベルトが所定時間（例えば、数秒）だけ硬貨の繰出方向または繰出方向とは逆方向に駆動される。そして、繰出ベルトが所定時間だけ硬貨の繰出方向または繰出方向とは逆方向に循環移動することによってこの繰出ベルト上に集積された硬貨が撹拌されて投入硬貨検知センサ１１５により検知されると、繰出ベルトが硬貨の繰出方向に循環移動するよう引き続き駆動されるようになり、このことにより硬貨受入部１１４に投入された硬貨は繰出ベルトによって１層１列状態で１枚ずつ筐体１１０の内部に繰り出されるようになる。一方、繰出ベルトが所定時間だけ硬貨の繰出方向または繰出方向とは逆方向に循環移動しても投入硬貨検知センサ１１５により硬貨が検知されなかった場合には、当該繰出ベルトは停止する。また、操作表示部１１２に表示されている「スタート」ボタンが押下されたときに、投入紙幣検知センサ２１５により紙幣が検知されると、紙幣受入部２１４に設けられた紙幣繰出機構２１９が駆動され、当該紙幣受入部２１４に投入された入金紙幣が一括で筐体２１０内に取り込まれるようになる。
【０１１１】
硬貨釣銭機１００において、硬貨受入部１１４から筐体１１０の内部に繰り出され、入金搬送部１０３により搬送される硬貨は硬貨識別部１０１により識別される。硬貨識別部１０１による硬貨の識別結果に基づいて、リジェクト硬貨等の、硬貨払出部１１６から払い出されるべき硬貨であると識別された硬貨は、分岐部１０４により出金搬送部１０８へ案内（搬送）され、出金搬送部１０８により硬貨払出部１１６に搬送される。一方、硬貨識別部１０１による硬貨の識別結果に基づいて、正常硬貨等の機体内に収納されるべき硬貨であると識別された硬貨は、入金搬送部１０３により硬貨収納部１０６へ搬送され、当該硬貨収納部１０６に金種別に収納される。また、紙幣釣銭機２００において、紙幣受入部２１４から筐体２１０の内部に繰り出され、周回搬送部２０３ａにより搬送される紙幣は紙幣識別部２０１により識別される。紙幣識別部２０１により正常な紙幣であると識別された紙幣は、各紙幣収納部２０６に金種別に収納される。一方、紙幣受入部２１４から取り込まれた紙幣のうち、汚損や搬送異常等により紙幣識別部２０１で識別することができない紙幣は入金リジェクト紙幣として紙幣払出部２１６に返却される。
【０１１２】
図８乃至図１０に示すような変形例に係る貨幣釣銭機によれば、図１乃至図７等に示す上記の貨幣入金機１と同様に、紙幣受入部２１４に投入された紙幣を検知するための紙幣検知部として投入紙幣検知センサ２１５が設けられており、上位制御部１２０は、投入紙幣検知センサ２１５により紙幣が検知されると硬貨受入部１１４に設けられた硬貨繰出機構１１９（具体的には、硬貨受入部１１４の底部近傍に設けられた搬送ベルト）および紙幣受入部２１４に設けられた紙幣繰出機構２１９をそれぞれ動作させるようこれらの硬貨繰出機構１１９および紙幣繰出機構２１９の制御を行うようになっている。このように、紙幣受入部２１４に投入された紙幣が投入紙幣検知センサ２１５により検知されるとこの紙幣受入部２１４に設けられた紙幣繰出機構２１９を動作させるとともに硬貨受入部１１４に設けられた硬貨繰出機構１１９の搬送ベルトを動作させることにより、入金開始ボタンを押下することなく硬貨や紙幣の入金処理を自動的に開始することができ、しかも硬貨受入部１１４に投入された硬貨の量が少ない場合でも筐体１１０の内部への硬貨の繰出動作を確実に行うことができるようになる。
【０１１３】
また、図８乃至図１０に示すような変形例に係る貨幣釣銭機において、釣銭としての硬貨や紙幣が硬貨釣銭機１００や紙幣釣銭機２００から払い出された後に、売上金としての硬貨や紙幣が硬貨釣銭機１００や紙幣釣銭機２００に入金されるような出金優先モードが行われる場合には、以下のような処理が行われるようになっている。すなわち、出金優先モードが行われる場合において、硬貨釣銭機１００や紙幣釣銭機２００から釣銭としての硬貨や紙幣が払い出された後、予め設定された所定時間が経過したときに、硬貨釣銭機１００において、硬貨受入部１１４に投入された硬貨が投入硬貨検知センサ１１５により検知されるとこの硬貨受入部１１４に設けられた硬貨繰出機構１１９の繰出ベルトが駆動され、よって搬送ベルト上の硬貨が１層１列状態で１枚ずつ筐体１１０の内部に繰り出される。また、硬貨釣銭機１００や紙幣釣銭機２００から釣銭としての硬貨や紙幣が払い出された後、予め設定された所定時間が経過したときに、投入硬貨検知センサ１１５により硬貨が検知されなかった場合にはこの繰出ベルトが所定時間（例えば、数秒）だけ硬貨の繰出方向または繰出方向とは逆方向に駆動される。そして、繰出ベルトが所定時間だけ硬貨の繰出方向または繰出方向とは逆方向に循環移動することによってこの繰出ベルト上に集積された硬貨が撹拌されて投入硬貨検知センサ１１５により検知されると、繰出ベルトが硬貨の繰出方向に循環移動するよう引き続き駆動されるようになり、このことにより硬貨受入部１１４に投入された硬貨は繰出ベルトによって１層１列状態で１枚ずつ筐体１１０の内部に繰り出されるようになる。一方、繰出ベルトが所定時間だけ硬貨の繰出方向または繰出方向とは逆方向に循環移動しても投入硬貨検知センサ１１５により硬貨が検知されなかった場合には、当該繰出ベルトは停止する。また、出金優先モードが行われる場合において、硬貨釣銭機１００や紙幣釣銭機２００から釣銭としての硬貨や紙幣が払い出された後、予め設定された所定時間が経過したときに、投入紙幣検知センサ２１５により紙幣が検知されると紙幣受入部２１４に設けられた紙幣繰出機構２１９が駆動され、当該紙幣受入部２１４に投入された入金紙幣が筐体２１０内に取り込まれるようになる。
【０１１４】
また、本発明による有価媒体処理装置は、貨幣の処理を行うものに限定されることはなく、貨幣以外の有価媒体（例えば、小切手や商品券等の有価証券）の処理を行うものであってもよい。このような有価媒体処理装置にも本発明の原理を適用することができる。具体的には、本発明による有価媒体処理装置は、硬貨ならびに紙幣、小切手、商品券等の紙葉類からなる有価証券を入金可能としており、このような有価媒体処理装置は、投入された硬貨を筐体の内部に繰り出すための回転盤等の硬貨繰出機構が設けられた硬貨投入部と、投入された紙葉類を筐体の内部に繰り出すための紙葉類繰出機構が設けられた紙葉類投入部と、紙葉類投入部に投入された紙葉類を検知する紙葉類検知部とを備えている。そして、紙葉類検知部により紙葉類が検知されると、紙葉類投入部に設けられた紙葉類繰出機構を動作させるとともに硬貨投入部に設けられた硬貨繰出機構を動作させるようになっている。このような有価媒体処理装置でも、入金開始ボタンを押下することなく硬貨や紙葉類の入金処理を自動的に開始することができ、しかも硬貨投入部に投入された硬貨の量が少ない場合でも筐体の内部への硬貨の繰出動作を確実に行うことができるようになる。
【符号の説明】
【０１１５】
１        貨幣入金機
１ａ      筐体
１ｂ、１ｃ  扉
２        上部カバー
２ｐ      軸
４        支持部
１０      硬貨入金装置
１２      硬貨投入部
１２ａ    シャッタ
１２ｂ    投入硬貨検知センサ
１３      硬貨繰出機構
１３ａ    回転盤
１３ｂ    駆動モータ
１４      搬送部
１４ａ    搬送ベルト
１４ｂ、１４ｃ  プーリ
１５      開口
１６      識別部
１８      分岐機構
１８ａ    分岐部
２０      開口
２２      一時保留用シュート
２４      リジェクト用シュート
２６      一時保留部
２８      リジェクト部
３０      硬貨返却箱
３０ａ    把持部分
３１      ロック部
３２      収納用シュート
４０      硬貨収納カセット
５０      紙幣入金装置
５２      紙幣投入部
５２ａ    シャッタ
５２ｂ    投入紙幣検知センサ
５４      紙幣繰出機構
５６      搬送部
５８      識別部
６０      分岐機構
６２      リジェクト部
６４      一時保留部
６５      扉ロック部
７０      紙幣収納カセット
８０      本体制御部
８１      硬貨制御部
８２      紙幣制御部
８４      印字部
８６、８８  操作表示部
８９      操作キー
９０      読取部
９２      記録媒体
９２ａ    記憶部
９４      記憶部
９８      通信インターフェース部
１００    硬貨釣銭機
１０１    硬貨識別部
１０３    入金搬送部
１０４    分岐部
１０６    硬貨収納部
１０８    出金搬送部
１１０    筐体
１１２    操作表示部
１１３    音声部
１１４    硬貨受入部
１１５    投入硬貨検知センサ
１１６    硬貨払出部
１１８    シャッタ
１１９    硬貨繰出機構
１２０    上位制御部
１３０    硬貨釣銭機制御部
１３２    インターフェース
１３４    記憶部
２００    紙幣釣銭機
２０１    紙幣識別部
２０３ａ  周回搬送部
２０３ｂ  接続搬送部
２０４    出金リジェクト部
２０６    紙幣収納部
２０７    紙幣回収カセット
２１０    筐体
２１４    紙幣受入部
２１４ａ  紙幣受入口
２１５    投入紙幣検知センサ
２１６    紙幣払出部
２１６ａ  紙幣取出口
２１９    紙幣繰出機構
２３０    紙幣釣銭機制御部
２３２    インターフェース
３００    ＰＯＳレジスタ
３０２、３０２ａ  表示部
３０４    操作部
３３０    ＰＯＳ制御部
３３２    インターフェース
３３４    記憶部
３３６    カードリーダ
３３８    印字部
４００    棒金収納装置
４１０    筐体
４１２    収納ドロア
４１４    棒金検知部
４１４ａ、４１４ｂ  光センサ
４１４ｃ  ロータリエンコーダ
４１６    ロック部
４２０    表示部
４３０    棒金収納装置制御部
４３２    インターフェース
４３４    記憶部
【図１】
2016207081.tif 000003
【図２】
2016207081.tif 000004
【図３】
2016207081.tif 000005
【図４】
2016207081.tif 000006
【図５】
2016207081.tif 000007
【図６】
2016207081.tif 000008
【図７】
2016207081.tif 000009
【図８】
2016207081.tif 000010
【図９】
2016207081.tif 000011
【図１０】
2016207081.tif 000012